(57)【要約】【課題】被処理体ごとのエッチング特性にばらつきを抑制すること。【解決手段】プラズマ処理装置は、ウェハＷの状態を計測した状態情報を取得し、状態情報により示されるウェハＷの状態に基づき、ウェハＷの上部に形成されるプラズマシースの界面の高さとフォーカスリング５の上部に形成されるプラズマシースの界面の高さとの差が所定範囲内となるようにプラズマ処理を制御する。【選択図】図４
2019186400.tif 000002
【特許請求の範囲】
【請求項１】
プラズマ処理の対象とされた被処理体を載置する載置台と、
前記被処理体の周囲に載置されるフォーカスリングと、
前記被処理体の状態を計測した状態情報を取得する取得部と、
前記取得部により取得された状態情報により示される前記被処理体の状態に基づき、前記被処理体の上部に形成されるプラズマシースの界面の高さと前記フォーカスリングの上部に形成されるプラズマシースの界面の高さとの差が所定範囲内となるようにプラズマ処理を制御するプラズマ制御部と、
を有することを特徴とするプラズマ処理装置。
【請求項２】
前記被処理体及び前記フォーカスリングの少なくとも一方に並列に配置された少なくとも１つの電磁石をさらに有し、
前記プラズマ制御部は、前記被処理体の状態に基づき、前記電磁石へ供給される電力を制御することで、前記被処理体の上部に形成されるプラズマシースの界面の高さと前記フォーカスリングの上部に形成されるプラズマシースの界面の高さとの差が所定範囲内となるように前記電磁石の磁力を制御する
ことを特徴とする請求項１に記載のプラズマ処理装置。
【請求項３】
前記フォーカスリングを載置する載置面に設けられ、直流電圧が印加される電極をさらに有し、
前記プラズマ制御部は、前記被処理体の状態に基づき、前記被処理体の上部に形成されるプラズマシースの界面の高さと前記フォーカスリングの上部に形成されるプラズマシースの界面の高さとの差が所定範囲内となるように前記電極に印加する直流電圧を制御する
ことを特徴とする請求項１に記載のプラズマ処理装置。
【請求項４】
前記フォーカスリングを載置する載置面に設けられ、交流電圧が印加される電極をさらに有し、
前記プラズマ制御部は、前記被処理体の状態に基づき、前記被処理体の上部に形成されるプラズマシースの界面の高さと前記フォーカスリングの上部に形成されるプラズマシースの界面の高さとの差が所定範囲内となるように前記電極に印加する交流電圧を制御する
ことを特徴とする請求項１に記載のプラズマ処理装置。
【請求項５】
前記フォーカスリングを載置し、インピーダンスの変更が可能とされた第２の載置台をさらに有し、
前記プラズマ制御部は、前記被処理体の状態に基づき、前記被処理体の上部に形成されるプラズマシースの界面の高さと前記フォーカスリングの上部に形成されるプラズマシースの界面の高さとの差が所定範囲内となるように前記第２の載置台のインピーダンスを制御する
ことを特徴とする請求項１に記載のプラズマ処理装置。
【請求項６】
前記被処理体及び前記フォーカスリングに対向して配置され、前記被処理体及び前記フォーカスリングの少なくとも一方に並列に電極が設けられ、処理ガスを噴出するガス供給部をさらに有し、
前記プラズマ制御部は、前記被処理体の状態に基づき、前記被処理体の上部に形成されるプラズマシースの界面の高さと前記フォーカスリングの上部に形成されるプラズマシースの界面の高さとの差が所定範囲内となるように前記電極へ供給される電力を制御する
ことを特徴とする請求項１に記載のプラズマ処理装置。
【請求項７】
前記フォーカスリングを昇降させる昇降機構をさらに有し、
前記プラズマ制御部は、前記被処理体の状態に基づき、前記被処理体の上部に形成されるプラズマシースの界面の高さと前記フォーカスリングの上部に形成されるプラズマシースの界面の高さとの差が所定範囲内となるように前記昇降機構を制御する
ことを特徴とする請求項１に記載のプラズマ処理装置。
【請求項８】
前記昇降機構は、前記フォーカスリングの周方向に複数の位置に設けられ、
前記状態情報は、前記被処理体の周方向に対して複数の位置での状態の測定結果を含み、
前記プラズマ制御部は、前記状態情報により示される複数の位置での状態の測定結果に基づき、前記フォーカスリングの周方向の複数の位置それぞれについて、前記被処理体の上部に形成されるプラズマシースの界面の高さと前記フォーカスリングの上部に形成されるプラズマシースの界面の高さとの差が所定範囲内となるように前記昇降機構をそれぞれ制御する
ことを特徴とする請求項７に記載のプラズマ処理装置。
【請求項９】
前記フォーカスリングの上面の高さを測定する測定部をさらに有し、
前記プラズマ制御部は、前記被処理体の状態及び前記測定部により測定された前記フォーカスリングの上面の高さに基づき、前記被処理体の上部に形成されるプラズマシースの界面の高さと前記フォーカスリングの上部に形成されるプラズマシースの界面の高さとの差が所定範囲内となるようにプラズマ処理を制御する
ことを特徴とする請求項１〜８の何れか１つに記載のプラズマ処理装置。
【請求項１０】
前記被処理体の状態は、前記被処理体の厚さ、前記被処理体の外径の一方または両方とする
ことを特徴とする請求項１〜９の何れか１つに記載のプラズマ処理装置。
【請求項１１】
プラズマ処理の対象とされた被処理体の状態を計測した状態情報を取得する工程と、
取得された状態情報により示される前記被処理体の状態に基づき、載置台に載置された前記被処理体の上部に形成されるプラズマシースの界面の高さと前記被処理体の周囲に載置されるフォーカスリングの上部に形成されるプラズマシースの界面の高さとの差が所定範囲内となるようにプラズマ処理を制御する工程と、
を有することを特徴とするプラズマ制御方法。
【請求項１２】
プラズマ処理の対象とされた被処理体の状態を計測した状態情報を取得し、
取得された状態情報により示される前記被処理体の状態に基づき、載置台に載置された前記被処理体の上部に形成されるプラズマシースの界面の高さと前記被処理体の周囲に載置されるフォーカスリングの上部に形成されるプラズマシースの界面の高さとの差が所定範囲内となるようにプラズマ処理を制御する、
処理をコンピュータに実行させることを特徴とするプラズマ制御プログラム。
【発明の詳細な説明】
【技術分野】
【０００１】
本開示は、プラズマ処理装置、プラズマ制御方法、及びプラズマ制御プログラムに関するものである。
【背景技術】
【０００２】
従来から、半導体ウェハ（以下「ウェハ」とも称する）などの被処理体に対してプラズマを用いて、エッチングなどのプラズマ処理を行うプラズマ処理装置が知られている。プラズマ処理装置では、被処理体の上部の処理空間にプラズマを生成し、プラズマにかかる電圧によりプラズマ中のイオンを加速し、ウェハに叩き込むことで、エッチングを行う。
【先行技術文献】
【特許文献】
【０００３】
【特許文献１】特開２０１６−１４６４７２号公報
【特許文献２】特開２００２−１７６０３０号公報
【発明の概要】
【発明が解決しようとする課題】
【０００４】
本開示は、被処理体ごとのエッチング特性にばらつきを抑制できる技術を提供する。
【課題を解決するための手段】
【０００５】
本開示の一態様によるプラズマ処理装置は、プラズマ処理の対象とされた被処理体を載置する載置台と、被処理体の周囲に載置されるフォーカスリングと、被処理体の状態を計測した状態情報を取得する取得部と、取得部により取得された状態情報により示される被処理体の状態に基づき、被処理体の上部に形成されるプラズマシースの界面の高さとフォーカスリングの上部に形成されるプラズマシースの界面の高さとの差が所定範囲内となるようにプラズマ処理を制御するプラズマ制御部と、を有することを特徴とする。
【発明の効果】
【０００６】
開示するプラズマ処理装置の１つの態様によれば、被処理体ごとのエッチング特性にばらつきを抑制できるという効果を奏する。
【図面の簡単な説明】
【０００７】
【図１】図１は、第１実施形態に係るプラズマ処理装置の概略的な構成の一例を示す概略断面図である。
【図２】図２は、第１実施形態に係るプラズマ処理装置を制御する制御部の概略的な構成の一例を示すブロック図である。
【図３】図３は、ウェハの規格を示した図である。
【図４】図４は、プラズマシースの状態の一例を模式的に示した図である。
【図５】図５は、理想的なプラズマシースの状態を模式的に示した図である。
【図６】図６は、エッチングされるホールの角度θとフォーカスリングの厚さの関係の一例を示した図である。
【図７Ａ】図７Ａは、ホールをエッチングした状態を模式的に示した図である。
【図７Ｂ】図７Ｂは、ホールをエッチングした状態を模式的に示した図である。
【図８Ａ】図８Ａは、磁場強度とプラズマの電子密度の関係の一例を示すグラフである。
【図８Ｂ】図８Ｂは、磁場強度とプラズマシースの厚さの関係の一例を示すグラフである。
【図９】図９は、プラズマ制御処理の処理の流れの一例を示すフローチャートである。
【図１０】図１０は、第２実施形態に係るプラズマ処理装置の概略的な構成の一例を示す概略断面図である。
【図１１】図１１は、第３実施形態に係るプラズマ処理装置の概略的な構成の一例を示す概略断面図である。
【図１２】図１２は、第４実施形態に係るプラズマ処理装置の概略的な構成の一例を示す概略断面図である。
【図１３】図１３は、第４実施形態に係る第１の載置台及び第２の載置台の要部構成を示す概略断面図である。
【図１４】図１４は、第４実施形態に係る第１の載置台及び第２の載置台を上方向から見た上面図である。
【図１５】図１５は、第５実施形態に係る第１の載置台及び第２の載置台の要部構成を示す概略断面図である。
【図１６】図１６は、レーザ光の反射の系統の一例を示す図である。
【図１７】図１７は、光の検出強度の分布の一例を示す図である。
【図１８Ａ】図１８Ａは、エッチングレートとフォーカスリングの厚さの関係の一例を示した図である。
【図１８Ｂ】図１８Ｂは、エッチングされるホールの角度θとフォーカスリングの厚さの関係の一例を示した図である。
【発明を実施するための形態】
【０００８】
以下、図面を参照して本願の開示するプラズマ処理装置、プラズマ制御方法、及びプラズマ制御プログラムの実施形態について詳細に説明する。なお、本実施形態により、開示するプラズマ処理装置、プラズマ制御方法、及びプラズマ制御プログラムが限定されるものではない。また、各実施形態は、処理内容を矛盾させない範囲で適宜組み合わせることが可能である。以下では、被処理体の一例として、ウェハを用いて実施形態を説明する。しかし、被処理体は、ウェハに限定されるものではなく、例えば、ガラス基板などの基板であってもよい。
【０００９】
ところで、ウェハは、サイズ等が規格で定められているものの、規格内で直径や厚さなどの状態にバラつきがある場合がある。このため、プラズマ処理装置では、ウェハの状態のバラつきにより、ウェハごとに、エッチング特性にばらつきが発生する場合がある。特に、ウェハの周辺部は、ウェハの状態のバラつきによる影響を受けやすい。
【００１０】
そこで、ウェハごとのエッチング特性にばらつきを抑制することが期待されている。
【００１１】
（第１実施形態）
［プラズマ処理装置の構成］
最初に、第１実施形態に係るプラズマ処理装置１０の概略的な構成を説明する。図１は、第１実施形態に係るプラズマ処理装置の概略的な構成の一例を示す概略断面図である。プラズマ処理装置１０は、気密に構成され、電気的に接地電位とされた処理容器１を有している。処理容器１は、円筒状とされ、例えば表面に陽極酸化被膜が形成されたアルミニウム等から構成されている。処理容器１は、プラズマが生成される処理空間を画成する。処理容器１内には、被処理体（work-piece）であるウェハＷを水平に支持する第１の載置台２が収容されている。
【００１２】
第１の載置台２は、上下方向に底面を向けた略円柱状を呈しており、上側の底面がウェハＷの載置される載置面６ｄとされている。第１の載置台２の載置面６ｄは、ウェハＷと同程度のサイズとされている。第１の載置台２は、基台３と、静電チャック６とを含んでいる。
【００１３】
基台３は、導電性の金属、例えば表面に陽極酸化被膜が形成されたアルミニウム等で構成されている。基台３は、下部電極として機能する。基台３は、絶縁体の支持台４に支持されており、支持台４が処理容器１の底部に設置されている。
【００１４】
静電チャック６は、上面が平坦な円盤状とされ、当該上面がウェハＷの載置される載置面６ｄとされている。静電チャック６は、平面視において第１の載置台２の中央に設けられている。静電チャック６は、電極６ａ及び絶縁体６ｂを有している。電極６ａは、絶縁体６ｂの内部に設けられており、電極６ａには直流電源１２が接続されている。静電チャック６は、電極６ａに直流電源１２から直流電圧が印加されることにより、クーロン力によってウェハＷを吸着するように構成されている。また、静電チャック６は、絶縁体６ｂの内部にヒータ６ｃが設けられている。ヒータ６ｃは、不図示の給電機構を介して電力が供給され、ウェハＷの温度を制御する。
【００１５】
第１の載置台２は、外周面に沿って周囲に第２の載置台７が設けられている。第２の載置台７は、内径が第１の載置台２の外径よりも所定サイズ大きい円筒状に形成され、第１の載置台２と軸を同じとして配置されている。第２の載置台７は、上側の面が環状のフォーカスリング５の載置される載置面９ｄとされている。フォーカスリング５は、例えば単結晶シリコンで形成されており、第２の載置台７に載置される。
【００１６】
第２の載置台７は、基台８と、フォーカスリングヒータ９を含んでいる。基台８は、基台３と同様の導電性の金属、例えば表面に陽極酸化被膜が形成されたアルミニウム等で構成されている。基台３は、支持台４側となる下部が、上部よりも径方向に大きく、第２の載置台７の下部の位置まで平板状に形成されている。基台８は、基台３に支持されている。フォーカスリングヒータ９は、基台８に支持されている。フォーカスリングヒータ９は、上面が平坦な環状の形状とされ、当該上面がフォーカスリング５の載置される載置面９ｄとされている。フォーカスリングヒータ９は、ヒータ９ａ及び絶縁体９ｂを有している。ヒータ９ａは、絶縁体９ｂの内部に設けられ、絶縁体９ｂに内包されている。ヒータ９ａは、不図示の給電機構を介して電力が供給され、フォーカスリング５の温度を制御する。このように、ウェハＷの温度とフォーカスリング５の温度は、異なるヒータによって独立に制御される。
【００１７】
基台３には、ＲＦ（Radio  Frequency）電力を供給する給電棒５０が接続されている。給電棒５０には、第１の整合器１１ａを介して第１のＲＦ電源１０ａが接続され、また、第２の整合器１１ｂを介して第２のＲＦ電源１０ｂが接続されている。第１のＲＦ電源１０ａは、プラズマ発生用の電源である。第１のＲＦ電源１０ａは所定の周波数の高周波電力を第１の載置台２の基台３に供給する。第２のＲＦ電源１０ｂは、イオン引き込み用（バイアス用）の電源である。第２のＲＦ電源１０ｂは、第１のＲＦ電源１０ａより低い所定周波数の高周波電力を第１の載置台２の基台３に供給する。
【００１８】
基台３の内部には、冷媒流路２ｄが形成されている。冷媒流路２ｄは、一方の端部に冷媒入口配管２ｂが接続され、他方の端部に冷媒出口配管２ｃが接続されている。また、基台８の内部には、冷媒流路７ｄが形成されている。冷媒流路７ｄは、一方の端部に冷媒入口配管７ｂが接続され、他方の端部に冷媒出口配管７ｃが接続されている。冷媒流路２ｄは、ウェハＷの下方に位置してウェハＷの熱を吸熱するように機能する。冷媒流路７ｄは、フォーカスリング５の下方に位置してフォーカスリング５の熱を吸熱するように機能する。プラズマ処理装置１０は、冷媒流路２ｄ及び冷媒流路７ｄの中に冷媒、例えば冷却水等をそれぞれ循環させることによって、第１の載置台２及び第２の載置台７の温度を個別に制御可能な構成とされている。なお、プラズマ処理装置１０は、ウェハＷやフォーカスリング５の裏面側に冷熱伝達用ガスを供給して温度を個別に制御可能な構成としてもよい。例えば、第１の載置台２等を貫通するように、ウェハＷの裏面ヘリウムガス等の冷熱伝達用ガス（バックサイドガス）を供給するためのガス供給管が設けられてもよい。ガス供給管は、ガス供給源に接続されている。これらの構成によって、第１の載置台２の上面に静電チャック６によって吸着保持されたウェハＷを、所定の温度に制御する。
【００１９】
一方、第１の載置台２の上方には、第１の載置台２に平行に対面するように、上部電極としての機能を有するシャワーヘッド１６が設けられている。シャワーヘッド１６と第１の載置台２は、一対の電極（上部電極と下部電極）として機能する。
【００２０】
シャワーヘッド１６は、処理容器１の天壁部分に設けられている。シャワーヘッド１６は、本体部１６ａと電極板をなす上部天板１６ｂとを備えており、絶縁性部材９５を介して処理容器１の上部に支持される。本体部１６ａは、導電性材料、例えば表面に陽極酸化被膜が形成されたアルミニウム等からなり、その下部に上部天板１６ｂを着脱自在に支持できるように構成されている。
【００２１】
本体部１６ａの内部には、ガス拡散室１６ｃが設けられ、ガス拡散室１６ｃの下部に位置するように、本体部１６ａの底部には、多数のガス通流孔１６ｄが形成されている。また、上部天板１６ｂには、当該上部天板１６ｂを厚さ方向に貫通するようにガス導入孔１６ｅが、上記したガス通流孔１６ｄと重なるように設けられている。このような構成により、ガス拡散室１６ｃに供給された処理ガスは、ガス通流孔１６ｄ及びガス導入孔１６ｅを介して処理容器１内にシャワー状に分散されて供給される。
【００２２】
本体部１６ａには、ガス拡散室１６ｃへ処理ガスを導入するためのガス導入口１６ｇが形成されている。ガス導入口１６ｇには、ガス供給配管１５ａの一端が接続されている。ガス供給配管１５ａの他端には、処理ガスを供給する処理ガス供給源１５が接続される。ガス供給配管１５ａには、上流側から順にマスフローコントローラ（ＭＦＣ）１５ｂ、及び開閉弁Ｖ２が設けられている。そして、処理ガス供給源１５からプラズマエッチングのための処理ガスが、ガス供給配管１５ａを介してガス拡散室１６ｃに供給される。そして、ガス拡散室１６ｃに供給された処理ガスが、ガス通流孔１６ｄ及びガス導入孔１６ｅを介して処理容器１内にシャワー状に分散されて供給される。
【００２３】
上記した上部電極としてのシャワーヘッド１６には、ローパスフィルタ（ＬＰＦ）７１を介して可変直流電源７２が電気的に接続されている。可変直流電源７２は、オン・オフスイッチ７３により給電のオン・オフが可能に構成されている。可変直流電源７２の電流・電圧ならびにオン・オフスイッチ７３のオン・オフは、後述する制御部１００によって制御される。なお、後述のように、第１のＲＦ電源１０ａ、第２のＲＦ電源１０ｂから高周波が第１の載置台２に印加されて処理空間にプラズマが発生する際には、必要に応じて制御部１００によりオン・オフスイッチ７３がオンとされ、上部電極としてのシャワーヘッド１６に所定の直流電圧が印加される。
【００２４】
シャワーヘッド１６は、複数の電磁石６０が上面に配置されている。本実施形態では、３つの電磁石６０ａ〜６０ｃが上面に配置されている。電磁石６０ａは、円盤状とされ、第１の載置台２の中央部の上部に配置されている。電磁石６０ｂは、円環状とされ、電磁石６０ａを囲むように、第１の載置台２の周辺部の上部に配置されている。電磁石６０ｃは、電磁石６０ｂよりも大きい円環状とされ、電磁石６０ｂを囲むように、第２の載置台７の上部に配置されている。
【００２５】
電磁石６０ａ〜６０ｃは、それぞれ不図示の電源に個別に接続され、電源から供給される電力により磁場を発生する。電源が電磁石６０ａ〜６０ｃに供給する電力は、後述する制御部１００によって制御可能とされている。制御部１００は、電源を制御して電磁石６０ａ〜６０ｃに供給される電力を制御することにより、電磁石６０ａ〜６０ｃから発生する磁場の制御が可能とされている。
【００２６】
また、処理容器１の側壁からシャワーヘッド１６の高さ位置よりも上方に延びるように円筒状の接地導体１ａが設けられている。この円筒状の接地導体１ａは、その上部に天壁を有している。
【００２７】
処理容器１の底部には、排気口８１が形成されている。排気口８１には、排気管８２を介して第１排気装置８３が接続されている。第１排気装置８３は、真空ポンプを有しており、真空ポンプを作動させることにより処理容器１内を所定の真空度まで減圧することができるように構成されている。一方、処理容器１内の側壁には、ウェハＷの搬入出口８４が設けられており、この搬入出口８４には、当該搬入出口８４を開閉するゲートバルブ８５が設けられている。
【００２８】
処理容器１の側部内側には、内壁面に沿ってデポシールド８６が設けられている。デポシールド８６は、処理容器１にエッチング副生成物（デポ）が付着することを防止する。このデポシールド８６のウェハＷと略同じ高さ位置には、グランドに対する電位が制御可能に接続された導電性部材（ＧＮＤブロック）８９が設けられており、これにより異常放電が防止される。また、デポシールド８６の下端部には、第１の載置台２に沿って延在するデポシールド８７が設けられている。デポシールド８６，８７は、着脱自在に構成されている。
【００２９】
上記構成のプラズマ処理装置１０は、制御部１００によって、その動作が統括的に制御される。この制御部１００は、例えば、コンピュータであり、プラズマ処理装置１０の各部を制御する。プラズマ処理装置１０は、制御部１００によって、その動作が統括的に制御される。
【００３０】
［制御部の構成］
次に、制御部１００について詳細に説明する。図２は、第１実施形態に係るプラズマ処理装置を制御する制御部の概略的な構成の一例を示すブロック図である。制御部１００は、通信インターフェース１６０と、プロセスコントローラ１６１と、ユーザインターフェース１６２と、記憶部１６３とが設けられている。
【００３１】
通信インターフェース１６０は、ネットワークを介して他の装置と通信可能とされ、他の装置と各種のデータを送受信する。
【００３２】
プロセスコントローラ１６１は、ＣＰＵ（Central  Processing  Unit）を備えプラズマ処理装置１０の各部を制御する。
【００３３】
ユーザインターフェース１６２は、工程管理者がプラズマ処理装置１０を管理するためにコマンドの入力操作を行うキーボードや、プラズマ処理装置１０の稼動状況を可視化して表示するディスプレイ等から構成されている。
【００３４】
記憶部１６３には、プラズマ処理装置１０で実行される各種処理をプロセスコントローラ１６１の制御にて実現するための制御プログラム（ソフトウエア）や、処理条件データ等が記憶されたレシピが格納されている。例えば、記憶部１６３には、後述するプラズマ制御処理を実行する制御プログラムが格納されている。また、記憶部１６３には、状態情報１６３ａと、補正情報１６３ｂとが格納されている。なお、制御プログラムや処理条件データ等のレシピは、コンピュータで読み取り可能なコンピュータ記録媒体（例えば、ハードディスク、ＤＶＤなどの光ディスク、フレキシブルディスク、半導体メモリ等）などに格納された状態のものを利用したり、或いは、他の装置から、例えば専用回線を介して随時伝送させてオンラインで利用したりすることも可能である。
【００３５】
状態情報１６３ａは、プラズマ処理の対象とされたウェハＷの状態が記憶されたデータである。例えば、状態情報１６３ａには、ウェハＷの厚さの値が記憶されている。ウェハＷは、プラズマ処理装置１０へ搬送される搬送系において、プラズマ処理装置１０よりも前の装置で状態が測定される。例えば、ウェハＷは、プラズマ処理装置１０よりも前に、アライメント装置を通過する。アライメント装置は、水平な回転ステージが設けられ、ウェハＷ等の回転位置の調整など各種のアライメントの調整が可能とされている。アライメント装置は、ウェハＷの厚さや外径などの状態を測定する。ウェハＷの厚さや外径などの状態を記憶した状態情報は、ネットワークを介して状態情報１６３ａとして記憶部１６３に格納される。
【００３６】
補正情報１６３ｂは、プラズマ処理の条件の補正に用いる各種の情報が記憶されたデータである。補正情報１６３ｂの詳細は、後述する。
【００３７】
プロセスコントローラ１６１は、プログラムやデータを格納するための内部メモリを有し、記憶部１６３に記憶された制御プログラムを読み出し、読み出した制御プログラムの処理を実行する。プロセスコントローラ１６１は、制御プログラムが動作することにより各種の処理部として機能する。例えば、プロセスコントローラ１６１は、取得部１６１ａと、プラズマ制御部１６１ｂの機能を有する。なお、本実施形態に係るプラズマ処理装置１０では、プロセスコントローラ１６１が、取得部１６１ａ及びプラズマ制御部１６１ｂの機能を有する場合を例に説明するが、取得部１６１ａ及びプラズマ制御部１６１ｂの機能を複数のコントローラで分散して実現してもよい。
【００３８】
ところで、ウェハＷは、サイズが規格で定められているものの、一定の誤差が許容されている。図３は、ウェハの規格を示した図である。図３には、ＪＥＩＴＡ（Japan  Electronics  and  Information  Technology  Industries  Association）と、ＳＥＭＩの規格についてのウェハサイズごとの直径、厚さの範囲が示されている。このように、ウェハＷは、ウェハサイズごとに、標準的な直径、厚さが規格値として定められており、規格値として一定の誤差が許容されている。このため、ウェハＷは、規格内である場合でも、直径、厚さなどの状態に誤差がある。
【００３９】
プラズマ処理装置１０では、エッチングの際、処理容器１内にプラズマを生成するが、ウェハＷの状態に誤差によって、プラズマシースの高さが変化し、ウェハＷごとに、エッチング特性にばらつきが発生する場合がある。例えば、プラズマ処理装置１０では、ウェハＷの状態に誤差によって、ウェハＷごとにウェハＷ上のプラズマシースとの高さが変化する。プラズマ処理装置１０では、プラズマ中のイオンをプラズマシースにかかる電圧により加速し、ウェハＷに叩き込むことで、エッチングを行う。このため、プラズマ処理装置１０では、プラズマシースの高さが変化すると、エッチング特性が変化する。
【００４０】
図４は、プラズマシースの状態の一例を模式的に示した図である。図４には、載置台に置かれたウェハＷとフォーカスリング５とが示されている。なお、図４では、第１の載置台２と第２の載置台７をまとめて載置台として示している。Ｄｗａｆｅｒは、ウェハＷの厚さである。ｄｗａｆｅｒは、ウェハＷの上面からウェハＷ上のプラズマシース（Sheath）の界面までの高さである。厚さＤａは、ウェハＷが載置される載置台の載置面とフォーカスリング５が載置される載置台の載置面との高さの差である。例えば、厚さＤａは、第１実施形態では、第１の載置台２の載置面６ｄと第２の載置台７の載置面９ｄとの高さの差である。厚さＤａは、第１の載置台２と第２の載置台７の構成に応じて、固定値として定まる。厚さＤＦＲは、フォーカスリング５の厚さである。厚さｄＦＲは、フォーカスリング５の上面からフォーカスリング５上のプラズマシース（Sheath）の界面までの高さである。
【００４１】
ウェハＷ上のプラズマシースの界面とフォーカスリング５上のプラズマシースの界面との差Δｗａｆｅｒ−ＦＲは、以下の式（１）のように表せる。
【００４２】
Δｗａｆｅｒ−ＦＲ＝（Ｄａ＋Ｄｗａｆｅｒ＋ｄｗａｆｅｒ）−（ＤＦＲ＋ｄＦＲ）                                                                          （１）
【００４３】
例えば、ウェハＷの厚さＤｗａｆｅｒが、誤差によって変化した場合、差Δｗａｆｅｒ−ＦＲが変化する。このため、プラズマ処理装置１０では、エッチング特性が変化する。
【００４４】
図５は、理想的なプラズマシースの状態を模式的に示した図である。例えば、図５に示すように、プラズマシース（Sheath）の高さが、フォーカスリング５上と、ウェハＷ上で揃っている場合、ウェハＷに対して、イオンのプラスの電荷が垂直に入射する。
【００４５】
一方、ウェハＷが直径、厚さなどの状態に誤差があると、ウェハＷ上部のプラズマシースの高さが変化して、ウェハＷに対して、イオンのプラスの電荷の入射角が変化する。このようにイオンのプラスの電荷の入射角が変化することで、エッチング特性が変化する。例えば、エッチングされるホールにTiltingといった形状異常が発生する。Tiltingとは、ホールが斜めにエッチングされる異常である。
【００４６】
このため、フォーカスリング５の厚さが同じであっても、ウェハＷごとに、エッチング特性にばらつきが発生する場合がある。図６は、エッチングされるホールの角度θとフォーカスリングの厚さの関係の一例を示した図である。図６は、フォーカスリング５の厚さを変えてエッチングを行ってホールの角度θ（Tilting角θ）を測定したものである。例えば、図６には、符号１８０に示すように、フォーカスリング５の厚さが２．１ｍｍでTilting角θが２つプロットされている。この２つのTilting角θは、異なる２つのウェハＷに対してそれぞれホールをエッチングして測定したものである。符号１８０に示す２つのTilting角θには、０．００８［ｄｅｇ］の差がある。
【００４７】
図７Ａは、ホールをエッチングした状態を模式的に示した図である。図７Ａは、ウェハＷの酸化膜にホール１７０が垂直にエッチングされた理想的な状態を示している。図７Ａの（Ａ）は、酸化膜にエッチングしたホール１７０の断面形状を示している。図７Ａの（Ｂ）は、エッチングされたホール１７０を上側から見た場合のホール１７０の酸化膜の上面での位置（Ｔｏｐ）と、ホール１７０の底での位置（Ｂｏｔｔｏｍ）とが示されている。ホール１７０が理想的な状態でエッチングされた場合、図７Ａの（Ｂ）に示すように、ホール１７０の上面での位置とホール１７０の底での位置とが合う。
【００４８】
図７Ｂは、ホールをエッチングした状態を模式的に示した図である。図７Ｂは、酸化膜にホール１７０が角度θで斜めにエッチングされた状態を示している。図７Ｂの（Ａ）は、酸化膜にエッチングしたホール１７０の断面形状を示している。図７Ｂの（Ｂ）は、エッチングされたホール１７０を上側から見た場合のホール１７０の酸化膜の上面での位置（Ｔｏｐ）と、ホール１７０の底での位置（Ｂｏｔｔｏｍ）とが示されている。ホール１７０が斜めにエッチングされた場合、図７Ｂの（Ｂ）に示すように、ホール１７０の上面での位置とホールの底での位置とに位置ズレが発生する。
【００４９】
近年、プラズマ処理装置１０は、アスペクト比の高いホールのエッチングが求められている。例えば、三次元構造を有するＮＡＮＤ型フラッシュメモリの製造では、エッチングするホールのアスペクト比が高くなっている。しかし、エッチングするホールのアスペクト比が高くなると、ホールの角度θによる位置ズレが大きくなる。
【００５０】
図７Ｂの（Ｃ）、（Ｄ）には、より厚い酸化膜に、アスペクト比の高いホールが角度θで斜めにエッチングされた状態が示されている。図７Ｂの（Ｃ）は、酸化膜にエッチングしたホール１７０の断面形状を示している。図７Ｂの（Ｄ）は、エッチングされたホール１７０を上側から見た場合のホール１７０の酸化膜の上面での位置（Ｔｏｐ）と、ホール１７０の底での位置（Ｂｏｔｔｏｍ）とが示されている。ホールのアスペクト比が高くなると、図７Ｂの（Ｄ）に示すように、ホール１７０の上面での位置とホール１７０の底での位置とのずれ量が大きくなる。
【００５１】
このように、プラズマ処理装置１０は、エッチングするホールが深くなり、ホールのアスペクト比が高くなるほど、ウェハＷの状態のバラつきによる影響によるエッチング特性の変化が大きくなる。特に、ウェハＷの周辺部は、ウェハＷの状態のバラつきによる影響を受けやすい。
【００５２】
ところで、プラズマ処理装置１０では、電磁石６０ａ〜６０ｃからの磁力によってプラズマの状態が変化する。図８Ａは、磁場強度とプラズマの電子密度の関係の一例を示すグラフである。図８Ａに示すように、プラズマにかかる磁力の磁場強度と、プラズマの電子密度には、比例関係がある。
【００５３】
プラズマの電子密度とプラズマシースの厚さには、以下の式（２）の関係がある。
【００５４】
【数１】
2019186400.tif 000003
【００５５】
ここで、Ｎｅは、プラズマの電子密度である。Ｔｅは、プラズマの電子温度［ｅｖ］である。Ｖｄｃは、プラズマとの電位差である。Ｖｄｃは、ウェハＷ上部のプラズマの場合、プラズマとウェハＷとの電位差であり、フォーカスリング５上部のプラズマの場合、プラズマとフォーカスリング５との電位差である。
【００５６】
式（２）に示すように、プラズマシースの厚さは、電子密度Ｎｅに反比例する。よって、プラズマにかかる磁力の磁場強度と、プラズマの電子密度には、反比例の関係がある。図８Ｂは、磁場強度とプラズマシースの厚さの関係の一例を示すグラフである。図８Ｂに示すように、プラズマシースの厚さは、プラズマにかかる磁力の磁場強度に反比例する。
【００５７】
そこで、第１実施形態に係るプラズマ処理装置１０では、ウェハＷごとのエッチング特性にばらつきを抑制するように、電磁石６０ａ〜６０ｃから発生させる磁力の磁場強度を制御する。
【００５８】
図２に戻る。第１実施形態に係る補正情報１６３ｂは、ウェハＷの状態ごとに、電磁石６０ａ〜６０ｃへ供給する電力の補正値を記憶する。例えば、ウェハＷの厚さごとに、ウェハＷ上の上部に形成されるプラズマシースの界面の高さとフォーカスリング５の上部に形成されるプラズマシースの界面の高さとの差Δｗａｆｅｒ−ＦＲが所定範囲内となるような磁場強度が得られる電磁石６０ａ〜６０ｃの電力量を実験的に計測する。例えば、電磁石６０に電源から交流電力を供給する場合、交流の電圧、周波数、電力パワーの何れか変化させ、変化させた交流の電圧、周波数、電力パワーの何れかを電力量として計測する。また、電磁石６０に電源から直流電力を供給する場合、直流の電圧、電流量の何れか変化させ、変化させた直流の電圧、電流量の何れかを電力量として計測する。所定範囲は、例えば、ウェハＷにエッチングした際のホールの角度θ（Tilting角θ）が、許容される精度内となるΔｗａｆｅｒ−ＦＲの範囲である。補正情報１６３ｂには、計測結果に基づき、ウェハＷの厚さごとに、差Δｗａｆｅｒ−ＦＲが所定範囲内となる電磁石６０ａ〜６０ｃの供給電力の補正値を記憶させる。補正値は、差Δｗａｆｅｒ−ＦＲが所定範囲内となる電力量の値そのものとであってもよく、プラズマ処理の際に電磁石６０ａ〜６０ｃへ供給する標準の電力量に対する差分値であってもよい。本実施形態では、補正値は、電磁石６０ａ〜６０ｃへ供給する電力量の値そのものとする。
【００５９】
ここで、第１実施形態に係るプラズマ処理装置１０は、電磁石６０ｃの供給電力を補正することで、フォーカスリング５の上部に形成されるプラズマシースの界面の高さを補正するものとする。補正情報１６３ｂには、ウェハＷの状態ごとに、電磁石６０ｃの供給電力の補正値を記憶させる。なお、プラズマ処理装置１０は、電磁石６０ａ、６０ｂの供給電力を補正して、ウェハＷの上部に形成されるプラズマシースの界面の高さを補正してもよい。この場合、補正情報１６３ｂには、ウェハＷの状態ごとに、電磁石６０ａ、６０ｂの供給電力の補正値を記憶させる。また、プラズマ処理装置１０は、電磁石６０ａ〜６０ｃの供給電力を補正して、フォーカスリング５の上部に形成されるプラズマシースの界面の高さとウェハＷの上部に形成されるプラズマシースの界面の高さをそれぞれ補正してもよい。この場合、補正情報１６３ｂには、ウェハＷの状態ごとに、電磁石６０ａ〜６０ｃの供給電力の補正値を記憶させる。
【００６０】
取得部１６１ａは、プラズマ処理の対象とされたウェハＷの状態情報１６３ａを取得する。例えば、取得部１６１ａは、プラズマ処理の対象とされたウェハＷの状態情報１６３ａを記憶部１６３から読み出して取得する。状態情報１６３ａには、ウェハＷの厚さのデータが含まれている。なお、本実施形態では、状態情報１６３ａを記憶部１６３に予め格納してあるものとしたが、状態情報１６３ａが他の装置に記憶されている場合、取得部１６１ａは、ネットワークを介して状態情報１６３ａを取得してもよい。
【００６１】
プラズマ制御部１６１ｂは、ウェハＷ上の上部に形成されるプラズマシースの界面の高さとフォーカスリング５の上部に形成されるプラズマシースの界面の高さとの差Δｗａｆｅｒ−ＦＲが所定範囲内となるようにプラズマ処理を制御する。
【００６２】
プラズマ制御部１６１ｂは、取得部１６１ａにより取得された状態情報１６３ａにより示されるウェハＷの状態に基づき、ウェハＷ上の上部に形成されるプラズマシースの界面の高さとフォーカスリング５の上部に形成されるプラズマシースの界面の高さとの差Δｗａｆｅｒ−ＦＲが所定範囲内となるように電磁石６０ａ〜６０ｃの磁力を制御する。例えば、プラズマ制御部１６１ｂは、取得部１６１ａにより取得された状態情報１６３ａから、第１の載置台２に載置された処理対象のウェハＷの厚さを求める。プラズマ制御部１６１ｂは、処理対象のウェハＷの厚さに対応する電磁石６０ａ〜６０ｃの供給電力の補正値を補正情報１６３ｂから読み出す。そして、プラズマ制御部１６１ｂは、プラズマ処理の際に、読み出した補正値の電力が電磁石６０ａ〜６０ｃへ供給されるように、電磁石６０ａ〜６０ｃに接続された電源を制御する。本実施形態では、プラズマ制御部１６１ｂは、電磁石６０ｃへ補正値の電力が供給されるように、電磁石６０ｃに接続された電源を制御する。
【００６３】
これにより、プラズマ処理装置１０では、ウェハＷ上の上部に形成されるプラズマシースの界面の高さとフォーカスリング５の上部に形成されるプラズマシースの界面の高さとの差Δｗａｆｅｒ−ＦＲが所定範囲内となり、ウェハＷごとのエッチング特性にばらつきを抑制できる。
【００６４】
次に、第１実施形態に係るプラズマ処理装置１０を用いたプラズマ制御処理について説明する。図９は、プラズマ制御処理の処理の流れの一例を示すフローチャートである。このプラズマ制御処理は、所定のタイミング、例えば、ウェハＷが第１の載置台２に載置された後、処理容器１内の温度がプラズマ処理を行う温度に安定したタイミングで実行される。なお、ウェハＷが第１の載置台２に載置されたタイミングで実行してもよい。
【００６５】
図９に示すように、取得部１６１ａは、プラズマ処理の対象とされたウェハＷの状態情報１６３ａを取得する（ステップＳ１０）。
【００６６】
プラズマ制御部１６１ｂは、取得された状態情報１６３ａにより示されるウェハＷの状態に基づき、ウェハＷの上部に形成されるプラズマシースの界面の高さとフォーカスリング５の上部に形成されるプラズマシースの界面の高さとの差が所定範囲内となるようにプラズマ処理を制御する（ステップＳ１１）。例えば、プラズマ制御部１６１ｂは、ウェハＷの状態に基づき、ウェハＷ上の上部に形成されるプラズマシースの界面の高さとフォーカスリング５の上部に形成されるプラズマシースの界面の高さとの差Δｗａｆｅｒ−ＦＲが所定範囲内となるように電磁石６０ａ〜６０ｃの磁力を制御し、処理を終了する。
【００６７】
以上のように、第１実施形態に係るプラズマ処理装置１０は、第１の載置台２と、フォーカスリング５と、取得部１６１ａと、プラズマ制御部１６１ｂとを有する。第１の載置台２は、プラズマ処理の対象とされたウェハＷを載置する。フォーカスリング５は、ウェハＷの周囲に載置される。取得部１６１ａは、ウェハＷの状態を計測した状態情報１６３ａを取得する。プラズマ制御部１６１ｂは、取得された状態情報１６３ａにより示されるウェハＷの状態に基づき、ウェハＷの上部に形成されるプラズマシースの界面の高さとフォーカスリング５の上部に形成されるプラズマシースの界面の高さとの差が所定範囲内となるようにプラズマ処理を制御する。これにより、プラズマ処理装置１０は、ウェハＷごとのエッチング特性にばらつきを抑制できる。特に、ウェハＷの状態のばらつきの影響を受けやすいウェハＷの周辺部についても、プラズマ処理装置１０は、ウェハＷごとのエッチング特性にばらつきを抑制できる。また、プラズマ処理装置１０は、アスペクト比の高いホールをエッチングする場合でも、ウェハＷごとに、ホールの上面での位置とホールの底での位置とのずれ量を小さく抑えてエッチングできる。
【００６８】
また、第１実施形態に係るプラズマ処理装置１０は、ウェハＷ及びフォーカスリング５の少なくとも一方に並列に配置された少なくとも１つの電磁石６０をさらに有する。プラズマ制御部１６１ｂは、ウェハＷの状態に基づき、電磁石６０へ供給される電力を制御することで、ウェハＷの上部に形成されるプラズマシースの界面の高さとフォーカスリング５の上部に形成されるプラズマシースの界面の高さとの差が所定範囲内となるように電磁石６０の磁力を制御する。これにより、プラズマ処理装置１０は、ウェハＷごとのエッチング特性にばらつきを抑制できる。
【００６９】
（第２実施形態）
次に、第２実施形態について説明する。図１０は、第２実施形態に係るプラズマ処理装置の概略的な構成の一例を示す概略断面図である。第２実施形態に係るプラズマ処理装置１０は、第１実施形態に係るプラズマ処理装置１０の構成と一部同様の構成であるため、同一部分に同一の符号を付して説明を省略し、異なる部分について主に説明する。
【００７０】
第２実施形態に係る第２の載置台７は、フォーカスリング５を載置する載置面９ｄに電極がさらに設けられている。第２実施形態に係る第２の載置台７では、フォーカスリングヒータ９の内部に、周方向に沿って、全周に電極９ｅがさらに設けられている。電極９ｅは、配線を介して電源１３が電気的に接続されている。第２実施形態に係る電源１３は、直流電源であり、電極９ｅに直流電圧を印加する。
【００７１】
ところで、プラズマは、周辺の電気的な特性の変化によって状態が変化する。例えば、フォーカスリング５の上部のプラズマは、電極９ｅに印加される直流電圧の大きさによって状態が変化し、プラズマシースの厚さが変化する。
【００７２】
そこで、第２実施形態に係るプラズマ処理装置１０では、ウェハＷごとのエッチング特性にばらつきを抑制するように、電極９ｅに印加する直流電圧を制御する。
【００７３】
第２実施形態に係る補正情報１６３ｂは、ウェハＷの状態ごとに、電極９ｅに印加する直流電圧の補正値を記憶する。例えば、ウェハＷの厚さごとに、ウェハＷ上の上部に形成されるプラズマシースの界面の高さとフォーカスリング５の上部に形成されるプラズマシースの界面の高さとの差Δｗａｆｅｒ−ＦＲが所定範囲内となる、電極９ｅに印加する直流電圧を実験的に計測する。補正情報１６３ｂには、計測結果に基づき、ウェハＷの厚さごとに、差Δｗａｆｅｒ−ＦＲが所定範囲内となる、電極９ｅに印加する直流電圧の補正値を記憶させる。補正値は、差Δｗａｆｅｒ−ＦＲが所定範囲内となる直流電圧の値そのものとであってもよく、プラズマ処理の際に電極９ｅに印加する標準的な直流電圧に対する差分値であってもよい。本実施形態では、補正値は、電極９ｅに印加する直流電圧の値そのものとする。
【００７４】
プラズマ制御部１６１ｂは、取得部１６１ａにより取得された状態情報１６３ａにより示されるウェハＷの状態に基づき、ウェハＷ上の上部に形成されるプラズマシースの界面の高さとフォーカスリング５の上部に形成されるプラズマシースの界面の高さとの差Δｗａｆｅｒ−ＦＲが所定範囲内となるように電極９ｅに印加する直流電圧を制御する。例えば、プラズマ制御部１６１ｂは、取得部１６１ａにより取得された状態情報１６３ａから、第１の載置台２に載置された処理対象のウェハＷの厚さを求める。プラズマ制御部１６１ｂは、処理対象のウェハＷの厚さに対応する電極９ｅに印加する直流電圧の補正値を補正情報１６３ｂから読み出す。そして、プラズマ制御部１６１ｂは、プラズマ処理の際に、読み出した補正値の直流電圧が電極９ｅへ供給されるように、電源１３を制御する。
【００７５】
これにより、プラズマ処理装置１０では、ウェハＷ上の上部に形成されるプラズマシースの界面の高さとフォーカスリング５の上部に形成されるプラズマシースの界面の高さとの差Δｗａｆｅｒ−ＦＲが所定範囲内となり、ウェハＷごとのエッチング特性にばらつきを抑制できる。
【００７６】
以上のように、第２実施形態に係るプラズマ処理装置１０は、フォーカスリング５を載置する載置面９ｄに設けられ、直流電圧が印加される電極９ｅをさらに有する。プラズマ制御部１６１ｂは、ウェハＷの状態に基づき、ウェハＷの上部に形成されるプラズマシースの界面の高さとフォーカスリング５の上部に形成されるプラズマシースの界面の高さとの差が所定範囲内となるように電極９ｅに印加する直流電圧を制御する。これにより、プラズマ処理装置１０は、ウェハＷごとのエッチング特性にばらつきを抑制できる。
【００７７】
（第３実施形態）
次に、第３実施形態について説明する。図１１は、第３実施形態に係るプラズマ処理装置の概略的な構成の一例を示す概略断面図である。第３実施形態に係るプラズマ処理装置１０は、第１実施形態に係るプラズマ処理装置１０の構成と一部同様の構成であるため、同一部分に同一の符号を付して説明を省略し、異なる部分について主に説明する。
【００７８】
第３実施形態に係るシャワーヘッド１６の本体部１６ａおよび上部天板１６ｂは、絶縁性部材により複数の部分に分割されている。例えば、本体部１６ａおよび上部天板１６ｂは、環状の絶縁部１６ｈにより、中央部１６ｉと周辺部１６ｊに分割されている。中央部１６ｉは、円盤状とされ、第１の載置台２の中央部の上部に配置されている。周辺部１６ｊは、円環状とされ、中央部１６ｉを囲むように、第１の載置台２の周辺部の上部に配置されている。
【００７９】
第３実施形態に係るシャワーヘッド１６は、分割された各部分に個別に直流電流の印加が可能とされ、各部分がそれぞれ上部電極として機能する。例えば、周辺部１６ｊには、ローパスフィルタ（ＬＰＦ）７１ａ、オン・オフスイッチ７３ａを介して可変直流電源７２ａが電気的に接続されている。中央部１６ｉには、ローパスフィルタ（ＬＰＦ）７１ｂ、オン・オフスイッチ７３ｂを介して可変直流電源７２ｂが電気的に接続されている。可変直流電源７２ａ、７２ｂが中央部１６ｉ、周辺部１６ｊにそれぞれ印加する電力は、制御部１００によって制御可能とされている。中央部１６ｉ、周辺部１６ｊは、電極として機能する。
【００８０】
ところで、プラズマは、周辺の電気的な特性の変化によって状態が変化する。例えば、プラズマ処理装置１０では、中央部１６ｉ、周辺部１６ｊに印加される電圧によってプラズマの状態が変化する。
【００８１】
そこで、第３実施形態に係るプラズマ処理装置１０では、ウェハＷごとのエッチング特性にばらつきを抑制するように、中央部１６ｉ、周辺部１６ｊに印加される電圧を制御する。
【００８２】
第３実施形態に係る補正情報１６３ｂは、ウェハＷの状態ごとに、中央部１６ｉ、周辺部１６ｊに印加する直流電圧の補正値を記憶する。例えば、ウェハＷの厚さごとに、ウェハＷ上の上部に形成されるプラズマシースの界面の高さとフォーカスリング５の上部に形成されるプラズマシースの界面の高さとの差Δｗａｆｅｒ−ＦＲが所定範囲内となる、中央部１６ｉ、周辺部１６ｊそれぞれに印加する直流電圧を実験的に計測する。補正情報１６３ｂには、計測結果に基づき、ウェハＷの厚さごとに、差Δｗａｆｅｒ−ＦＲが所定範囲内となる、中央部１６ｉ、周辺部１６ｊそれぞれに印加する直流電圧の補正値を記憶させる。補正値は、中央部１６ｉ、周辺部１６ｊに印加する直流電圧の値そのものとであってもよく、プラズマ処理の際に中央部１６ｉ、周辺部１６ｊにそれぞれ印加する標準的な直流電圧に対する差分値であってもよい。本実施形態では、補正値は、中央部１６ｉ、周辺部１６ｊそれぞれに印加する直流電圧の値そのものとする。
【００８３】
ここで、第３実施形態に係るプラズマ処理装置１０は、周辺部１６ｊに印加する直流電圧を補正することで、フォーカスリング５の上部に形成されるプラズマシースの界面の高さを補正するものとする。補正情報１６３ｂには、ウェハＷの状態ごとに、周辺部１６ｊに印加する直流電圧の補正値を記憶させる。なお、プラズマ処理装置１０は、シャワーヘッド１６をさらに環状に分割して各部分に印加する直流電圧を補正して、ウェハＷの上部に形成されるプラズマシースの界面の高さを補正してもよい。この場合、補正情報１６３ｂには、ウェハＷの状態ごとに、シャワーヘッド１６の各部分に印加する直流電圧の補正値を記憶させる。また、プラズマ処理装置１０は、シャワーヘッド１６の各部分に印加する直流電圧を補正して、フォーカスリング５の上部に形成されるプラズマシースの界面の高さとウェハＷの上部に形成されるプラズマシースの界面の高さをそれぞれ補正してもよい。この場合、補正情報１６３ｂには、ウェハＷの状態ごとに、シャワーヘッド１６の各部分に印加する直流電圧の補正値を記憶させる。
【００８４】
プラズマ制御部１６１ｂは、取得部１６１ａにより取得された状態情報１６３ａにより示されるウェハＷの状態に基づき、ウェハＷ上の上部に形成されるプラズマシースの界面の高さとフォーカスリング５の上部に形成されるプラズマシースの界面の高さとの差Δｗａｆｅｒ−ＦＲが所定範囲内となるように周辺部１６ｊに印加する直流電圧を制御する。例えば、プラズマ制御部１６１ｂは、取得部１６１ａにより取得された状態情報１６３ａから、第１の載置台２に載置された処理対象のウェハＷの厚さを求める。プラズマ制御部１６１ｂは、処理対象のウェハＷの厚さに対応する周辺部１６ｊに印加する直流電圧の補正値を補正情報１６３ｂから読み出す。そして、プラズマ制御部１６１ｂは、プラズマ処理の際に、読み出した補正値の直流電圧が周辺部１６ｊに供給されるように、可変直流電源７２ａを制御する。
【００８５】
これにより、プラズマ処理装置１０では、ウェハＷ上の上部に形成されるプラズマシースの界面の高さとフォーカスリング５の上部に形成されるプラズマシースの界面の高さとの差Δｗａｆｅｒ−ＦＲが所定範囲内となり、ウェハＷごとのエッチング特性にばらつきを抑制できる。
【００８６】
以上のように、第３実施形態に係るシャワーヘッド１６は、ウェハＷ及びフォーカスリング５に対向して配置され、ウェハＷ及びフォーカスリング５の少なくとも一方に並列に、それぞれ電極として機能する中央部１６ｉ、周辺部１６ｊが設けられ、処理ガスを噴出する。プラズマ制御部１６１ｂは、ウェハＷの状態に基づき、ウェハＷの上部に形成されるプラズマシースの界面の高さとフォーカスリング５の上部に形成されるプラズマシースの界面の高さとの差が所定範囲内となるように中央部１６ｉ、周辺部１６ｊへ供給される電力を制御する。これにより、プラズマ処理装置１０は、ウェハＷごとのエッチング特性にばらつきを抑制できる。
【００８７】
（第４実施形態）
次に、第４実施形態について説明する。図１２は、第４実施形態に係るプラズマ処理装置の概略的な構成の一例を示す概略断面図である。第４実施形態に係るプラズマ処理装置１０は、第１実施形態に係るプラズマ処理装置１０の構成と一部同様の構成であるため、同一部分に同一の符号を付して説明を省略し、異なる部分について主に説明する。第４実施形態に係るプラズマ処理装置１０は、シャワーヘッド１６の上面に電磁石６０が設けられておらず、第２の載置台７が昇降可能されている。
【００８８】
［第１の載置台及び第２の載置台の構成］
次に、図１３を参照して、第４実施形態に係る第１の載置台２及び第２の載置台７の要部構成について説明する。図１３は、第４実施形態に係る第１の載置台及び第２の載置台の要部構成を示す概略断面図である。
【００８９】
第１の載置台２は、基台３と、静電チャック６とを含んでいる。静電チャック６は、絶縁層３０を介して基台３に接着されている。静電チャック６は、円板状を呈し、基台３と同軸となるように設けられている。静電チャック６は、絶縁体６ｂの内部に電極６ａが設けられている。静電チャック６の上面は、ウェハＷの載置される載置面６ｄとされている。静電チャック６の下端には、静電チャック６の径方向外側へ突出したフランジ部６ｅが形成されている。すなわち、静電チャック６は、側面の位置に応じて外径が異なる。
【００９０】
静電チャック６は、絶縁体６ｂの内部にヒータ６ｃが設けられている。また、基台３の内部には、冷媒流路２ｄが形成されている。冷媒流路２ｄ及びヒータ６ｃは、ウェハＷの温度を調整する温調機構として機能する。なお、ヒータ６ｃは、絶縁体６ｂの内部に存在しなくてもよい。例えば、ヒータ６ｃは、静電チャック６の裏面に貼り付けられてもよく、載置面６ｄと冷媒流路２ｄとの間に介在すればよい。また、ヒータ６ｃは、載置面６ｄの領域全面に１つ設けてもよく、載置面６ｄを分割した領域毎に個別に設けてもよい。すなわち、ヒータ６ｃは、載置面６ｄを分割した領域毎に個別に複数設けてもよい。例えば、ヒータ６ｃは、第１の載置台２の載置面６ｄを中心からの距離に応じて複数の領域に分け、各領域で第１の載置台２の中心を囲むよう環状に延在させてもよい。もしくは、中心領域を加熱するヒータと、中心領域の外側を囲むように環状に延在するヒータとを含んでもよい。また、載置面６ｄの中心を囲むよう環状に延在させた領域を、中心からの方向に応じて複数の領域に分け、各領域にヒータ６ｃを設けてもよい。
【００９１】
図１４は、第４実施形態に係る第１の載置台及び第２の載置台を上方向から見た上面図である。図１４には、円板状に第１の載置台２の載置面６ｄが示されている。載置面６ｄは、中心からの距離及び方向に応じて複数の領域ＨＴ１に分けられており、各領域ＨＴ１に個別にヒータ６ｃが設けられている。これにより、プラズマ処理装置１０は、ウェハＷの温度を、領域ＨＴ１毎に、制御できる。
【００９２】
図１３に戻る。第２の載置台７は、基台８と、フォーカスリングヒータ９を含んでいる。基台８は、基台３に支持されている。フォーカスリングヒータ９は、絶縁体９ｂの内部にヒータ９ａが設けられている。また、基台８の内部には、冷媒流路７ｄが形成されている。冷媒流路７ｄ及びヒータ９ａは、フォーカスリング５の温度を調整する温調機構として機能する。フォーカスリングヒータ９は、絶縁層４９を介して基台８に接着されている。フォーカスリングヒータ９の上面は、フォーカスリング５の載置される載置面９ｄとされている。なお、フォーカスリングヒータ９の上面には、熱伝導性の高いシート部材などを設けてもよい。
【００９３】
フォーカスリング５は、円環状の部材であって、第２の載置台７と同軸となるように設けられている。フォーカスリング５の内側側面には、径方向内側へ突出した凸部５ａが形成されている。すなわち、フォーカスリング５は、内側側面の位置に応じて内径が異なる。例えば、凸部５ａが形成されていない箇所の内径は、ウェハＷの外径及び静電チャック６のフランジ部６ｅの外径よりも大きい。一方、凸部５ａが形成された箇所の内径は、静電チャック６のフランジ部６ｅの外径よりも小さく、かつ、静電チャック６のフランジ部６ｅが形成されていない箇所の外径よりも大きい。
【００９４】
フォーカスリング５は、凸部５ａが静電チャック６のフランジ部６ｅの上面と離間し、かつ、静電チャック６の側面からも離間した状態となるように第２の載置台７に配置される。すなわち、フォーカスリング５の凸部５ａの下面と静電チャック６のフランジ部６ｅの上面との間には、隙間が形成されている。また、フォーカスリング５の凸部５ａの側面と静電チャック６のフランジ部６ｅが形成されていない側面との間には、隙間が形成されている。そして、フォーカスリング５の凸部５ａは、第１の載置台２の基台３と第２の載置台７の基台８との間の隙間３４の上方に位置する。すなわち、載置面６ｄと直交する方向からみて、凸部５ａは、隙間３４と重なる位置に存在し該隙間３４を覆っている。これにより、プラズマが、隙間３４へ進入することを抑制できる。
【００９５】
ヒータ９ａは、基台８と同軸な環状を呈している。ヒータ９ａは、載置面９ｄの領域全面に１つ設けてもよく、載置面９ｄを分割した領域毎に個別に設けてもよい。すなわち、ヒータ９ａは、載置面９ｄを分割した領域毎に個別に複数設けてもよい。例えば、ヒータ９ａは、第２の載置台７の載置面９ｄを第２の載置台７の中心からの方向に応じて複数の領域に分け、各領域にヒータ９ａを設けてもよい。例えば、図１４には、円板状に第１の載置台２の載置面６ｄの周囲に、第２の載置台７の載置面９ｄが示されている。載置面９ｄは、中心からの方向に応じて複数の領域ＨＴ２に分けられており、各領域ＨＴ２に個別にヒータ９ａが設けられている。これにより、プラズマ処理装置１０は、フォーカスリング５の温度を、領域ＨＴ２毎に、制御できる。
【００９６】
図１３に戻る。第１の載置台２には、第２の載置台７を昇降させる昇降機構１２０が設けられている。例えば、第１の載置台２には、第２の載置台７の下部となる位置に、昇降機構１２０が設けられている。昇降機構１２０は、アクチュエータを内蔵し、アクチュエータの駆動力によりロッド１２０ａを伸縮させて第２の載置台７を昇降させる。昇降機構１２０は、モータの駆動力をギヤー等で変換してロッド１２０ａを伸縮させる駆動力を得るものであってもよく、油圧等によってロッド１２０ａを伸縮させる駆動力を得るものであってもよい。第１の載置台２と第２の載置台７の間には、真空を遮断するためのオーリング（O-Ring）１１２が設けられている。
【００９７】
第２の載置台７は、上昇させても影響が生じないように構成されている。例えば、冷媒流路７ｄは、フレキシブルな配管、あるいは、第２の載置台７が昇降しても冷媒を供給可能な機構が構成されている。ヒータ９ａに電力を供給する配線は、フレキシブルな配線、あるいは、第２の載置台７が昇降しても電気的に導通する機構が構成されている。
【００９８】
また、第１の載置台２は、第２の載置台７と電気的に導通する導通部１３０が設けられている。導通部１３０は、昇降機構１２０により第２の載置台７を昇降させても第１の載置台２と第２の載置台７とを電気的に導通するように構成されている。例えば、導通部１３０は、フレキシブルな配線、あるいは、第２の載置台７が昇降しても導体が基台８と接触して電気的に導通する機構が構成されている。導通部１３０は、第２の載置台７と第１の載置台２との電気的な特性が同等となるように設けられている。例えば、導通部１３０は、第１の載置台２の周面に複数設けられている。第１の載置台２に供給されるＲＦ電力は、導通部１３０を介して第２の載置台７にも供給される。なお、導通部１３０は、第１の載置台２の上面と第２の載置台７の下面の間に設けてもよい。
【００９９】
昇降機構１２０は、フォーカスリング５の周方向に複数の位置に設けられている。本実施形態に係るプラズマ処理装置１０では、昇降機構１２０が３つ設けられている。例えば、第２の載置台７には、第２の載置台７の円周方向に均等な間隔で昇降機構１２０を配置されている。図１４には、昇降機構１２０の配置位置が示されている。昇降機構１２０は、第２の載置台７の円周方向に対して、１２０度の角度毎に、同様の位置に設けられている。なお、昇降機構１２０は、第２の載置台７に対して、４つ以上設けてもよい。
【０１００】
ところで、プラズマは、周辺の電気的な特性の変化によって状態が変化する。例えば、プラズマ処理装置１０では、フォーカスリング５との距離によってプラズマの状態が変化する。
【０１０１】
そこで、第４実施形態に係るプラズマ処理装置１０では、ウェハＷごとのエッチング特性にばらつきを抑制するように、フォーカスリング５を昇降させる制御を行う。
【０１０２】
第４実施形態に係る補正情報１６３ｂは、ウェハＷの状態ごとに、フォーカスリング５を昇降させる補正値を記憶する。例えば、ウェハＷの厚さごとに、ウェハＷ上の上部に形成されるプラズマシースの界面の高さとフォーカスリング５の上部に形成されるプラズマシースの界面の高さとの差Δｗａｆｅｒ−ＦＲが所定範囲内となる、フォーカスリング５の高さを実験的に計測する。補正情報１６３ｂには、計測結果に基づき、ウェハＷの厚さごとに、差Δｗａｆｅｒ−ＦＲが所定範囲内となるフォーカスリング５の高さの補正値を記憶させる。補正値は、差Δｗａｆｅｒ−ＦＲが所定範囲内となるフォーカスリング５の高さの値そのものとであってもよく、プラズマ処理の際のフォーカスリング５の標準的な高さに対する差分値であってもよい。本実施形態では、補正値は、フォーカスリング５の高さの値そのものとする。
【０１０３】
プラズマ制御部１６１ｂは、取得部１６１ａにより取得された状態情報１６３ａにより示されるウェハＷの状態に基づき、ウェハＷ上の上部に形成されるプラズマシースの界面の高さとフォーカスリング５の上部に形成されるプラズマシースの界面の高さとの差Δｗａｆｅｒ−ＦＲが所定範囲内となるように昇降機構１２０を制御する。例えば、プラズマ制御部１６１ｂは、取得部１６１ａにより取得された状態情報１６３ａから、第１の載置台２に載置された処理対象のウェハＷの厚さを求める。プラズマ制御部１６１ｂは、処理対象のウェハＷの厚さに対応するフォーカスリング５の高さの補正値を補正情報１６３ｂから読み出す。そして、プラズマ制御部１６１ｂは、プラズマ処理の際に、読み出した補正値の高さとなるように、昇降機構１２０を制御する。
【０１０４】
これにより、プラズマ処理装置１０では、ウェハＷ上の上部に形成されるプラズマシースの界面の高さとフォーカスリング５の上部に形成されるプラズマシースの界面の高さとの差Δｗａｆｅｒ−ＦＲが所定範囲内となり、ウェハＷごとのエッチング特性にばらつきを抑制できる。
【０１０５】
以上のように、第４実施形態に係るプラズマ処理装置１０は、フォーカスリング５を昇降させる昇降機構１２０を有する。プラズマ制御部１６１ｂは、ウェハＷの状態に基づき、ウェハＷの上部に形成されるプラズマシースの界面の高さとフォーカスリング５の上部に形成されるプラズマシースの界面の高さとの差が所定範囲内となるように昇降機構１２０を制御する。これにより、プラズマ処理装置１０は、ウェハＷごとのエッチング特性にばらつきを抑制できる。
【０１０６】
（第５実施形態）
次に、第５実施形態について説明する。第５実施形態に係るプラズマ処理装置１０は、第４実施形態に係るプラズマ処理装置１０の構成と同様の構成であるため、説明を省略する。第５実施形態に係るプラズマ処理装置１０は、さらにウェハＷの厚さの計測が可能とされている。
【０１０７】
［第１の載置台及び第２の載置台の構成］
図１５は、第５実施形態に係る第１の載置台及び第２の載置台の要部構成を示す概略断面図である。第５実施形態に係る第１の載置台２及び第２の載置台７は、図１３に示す第４実施形態に係る第１の載置台２及び第２の載置台７の構成と一部同様の構成であるため、同一部分に同一の符号を付して説明を省略し、異なる部分について主に説明する。
【０１０８】
第２の載置台７には、フォーカスリング５の上面の高さを測定する測定部１１０が設けられている。本実施形態では、レーザ光の干渉により距離を測定する光干渉計として測定部１１０を構成している。測定部１１０は、光射出部１１０ａと、光ファイバ１１０ｂとを有する。第１の載置台２は、第２の載置台７の下部に、光射出部１１０ａが設けられている。光射出部１１０ａの上部には、真空を遮断するための石英窓１１１が設けけられている。また、第２の載置台７には、測定部１１０が設けられた位置に対応して、上面まで貫通する貫通穴１１３が形成されている。なお、貫通穴１１３には、レーザ光を透過する部材が設けられていてもよい。
【０１０９】
光射出部１１０ａは、光ファイバ１１０ｂにより測定制御ユニット１１４と接続されている。測定制御ユニット１１４は、光源を内蔵し、測定用のレーザ光を発生させる。測定制御ユニット１１４で発生したレーザ光は、光ファイバ１１０ｂを介して光射出部１１０ａから出射される。光射出部１１０ａから出射されたレーザ光は、石英窓１１１やフォーカスリング５で一部が反射し、反射したレーザ光が光射出部１１０ａに入射する。
【０１１０】
図１６は、レーザ光の反射の系統の一例を示す図である。石英窓１１１は、光射出部１１０ａ側の面に反射防止処理が施されており、レーザ光の反射が小さくされている。光射出部１１０ａから出射されたレーザ光は、図１６に示すように、主に、石英窓１１１の上面、フォーカスリング５の下面、及びフォーカスリング５の上面で、それぞれ一部が反射し、光射出部１１０ａに入射する。
【０１１１】
光射出部１１０ａに入射した光は、光ファイバ１１０ｂを介して測定制御ユニット１１４へ導かれる。測定制御ユニット１１４は、分光器等を内蔵し、反射したレーザ光の干渉状態に基づいて、距離を測定する。例えば、測定制御ユニット１１４では、入射したレーザ光の干渉状態に基づいて、反射面間の相互距離の差毎に、光の強度を検出する。
【０１１２】
図１７は、光の検出強度の分布の一例を示す図である。測定制御ユニット１１４では、反射面間の相互距離を光路長として、光の強度を検出する。図１７のグラフの横軸は、光路長による相互距離を表している。横軸の０は、全ての相互距離の起点を表す。図１７のグラフの縦軸は、検出される光の強度を表している。光干渉計は、反射した光の干渉状態から相互距離を測定する。反射では、相互距離の光路を往復で２回通過する。このため、光路長は、相互距離×２×屈折率として測定される。例えば、石英窓１１１の厚さをＸ１とし、石英の屈折率を３．６とした場合、石英窓１１１の下面を基準とした場合の石英窓１１１の上面までの光路長は、Ｘ１×２×３．６＝７．２Ｘ１となる。図１７の例では、石英窓１１１上面で反射した光は、光路長が７．２Ｘ１に強度のピークがあるものとして検出される。また、貫通穴１１３の厚さをＸ２とし、貫通穴１１３内を空気として屈折率を１．０とした場合、石英窓１１１の上面を基準とした場合のフォーカスリング５の下面までの光路長は、Ｘ２×２×１．０＝２Ｘ２となる。図１７の例では、フォーカスリング５の下面で反射した光は、光路長が２Ｘ２に強度のピークがあるものとして検出される。また、フォーカスリング５の厚さをＸ３とし、フォーカスリング５をシリコンとして屈折率を１．５とした場合、フォーカスリング５の下面を基準とした場合のフォーカスリング５の上面までの光路長は、Ｘ３×２×１．５＝３Ｘ３となる。図１７の例では、フォーカスリング５の上面で反射した光は、光路長が３Ｘ３に強度のピークがあるものとして検出される。
【０１１３】
新品のフォーカスリング５は、厚さや材料が定まっている。測定制御ユニット１１４には、新品のフォーカスリング５の厚さや材料の屈折率が登録される。測定制御ユニット１１４は、新品のフォーカスリング５の厚さや材料の屈折率に対応する光路長を算出し、算出した光路長付近で強度がピークとなる光のピークの位置から、フォーカスリング５の厚さを測定する。例えば、測定制御ユニット１１４は、光路長が３Ｘ３の近傍で強度がピークとなる光のピークの位置から、フォーカスリング５の厚さを測定する。測定制御ユニット１１４は、フォーカスリング５の上面までの反射面間の相互距離を全て加算して、フォーカスリング５の上面の高さを測定する。測定制御ユニット１１４は、測定結果を、制御部１００へ出力する。なお、測定制御ユニット１１４は、フォーカスリング５の厚さを測定結果として、制御部１００へ出力してもよい。また、フォーカスリング５の厚さは、制御部１００で測定してもよい。例えば、測定制御ユニット１１４には、検出強度がピークとなる光路長をそれぞれ測定し、測定結果を制御部１００へ出力する。制御部１００には、新品のフォーカスリング５の厚さや材料の屈折率が登録される。制御部１００には、新品のフォーカスリング５の厚さや材料の屈折率に対応する光路長を算出し、算出した光路長付近で強度がピークとなる光のピークの位置から、フォーカスリング５の厚さを測定してもよい。
【０１１４】
測定部１１０及び昇降機構１２０は、フォーカスリング５の周方向に複数の位置に設けられている。本実施形態に係るプラズマ処理装置１０では、測定部１１０及び昇降機構１２０が３組設けられている。例えば、第２の載置台７には、測定部１１０及び昇降機構１２０を組みとして、第２の載置台７の円周方向に均等な間隔で配置されている。測定部１１０及び昇降機構１２０は、第２の載置台７の円周方向に対して、１２０度の角度毎に、同様の位置に設けられている。なお、測定部１１０及び昇降機構１２０は、第２の載置台７に対して、４組以上設けてもよい。また、測定部１１０及び昇降機構１２０は、第２の載置台７の円周方向に対して離して配置してもよい。
【０１１５】
測定制御ユニット１１４は、各測定部１１０の位置でのフォーカスリング５の厚さを測定し、測定結果を制御部１００へ出力する。
【０１１６】
ところで、プラズマ処理装置１０では、プラズマ処理の際に、ウェハＷの状態に誤差によって、プラズマシースの高さが変化し、ウェハＷごとに、エッチング特性にばらつきが発生する。
【０１１７】
また、プラズマ処理装置１０では、プラズマ処理を行っていると、フォーカスリング５が消耗してフォーカスリング５の厚さが薄くなる。フォーカスリング５の厚さが薄くなると、フォーカスリング５上のプラズマシースとウェハＷ上のプラズマシースとの高さ位置にズレが生じ、エッチング特性が変化する。
【０１１８】
図１８Ａは、エッチングレートとフォーカスリングの厚さの関係の一例を示した図である。図１８Ａは、例えば、第２の載置台７の高さを一定として、フォーカスリング５の厚さを変えてウェハＷにエッチングを行ってエッチングレートを測定したものである。ウェハＷのウェハサイズは、１２インチ（直径３００ｍｍ）とする。図１８Ａには、フォーカスリング５の厚さごとに、ウェハＷの中心からの距離によるエッチングレートの変化が示されている。エッチングレートは、ウェハＷの中心を１として規格している。図１８Ａに示すように、エッチングレートは、ウェハＷの中心からの距離が１３５ｍｍ以上となるウェハＷの周辺部で、フォーカスリング５の厚さの変化に対する変化が大きくなる。
【０１１９】
図１８Ｂは、エッチングされるホールの角度θとフォーカスリングの厚さの関係の一例を示した図である。図１８Ｂは、例えば、第２の載置台７の高さを一定としてフォーカスリング５の厚さを変えてエッチングを行ってホールの角度θ（Tilting角θ）を測定したものである。図１８Ｂには、フォーカスリング５の厚さごとに、ウェハＷの中心から１３５ｍｍの位置でのホールの角度θの変化が示されている。図１８Ｂに示すように、Tilting角θは、ウェハＷの周辺部で、フォーカスリング５の厚さの変化に対する変化が大きくなる。
【０１２０】
そこで、本実施形態に係るプラズマ処理装置１０では、プラズマ処理の対象とされたウェハＷの状態、及びフォーカスリング５の厚さに応じて、昇降機構１２０の制御を行う。
【０１２１】
取得部１６１ａは、プラズマ処理の対象とされたウェハＷの状態情報１６３ａを取得する。例えば、取得部１６１ａは、プラズマ処理の対象とされたウェハＷの状態情報１６３ａを記憶部１６３から読み出して取得する。状態情報１６３ａには、測定部１１０及び昇降機構１２０の配置位置に対応したウェハＷの周方向の各位置でのウェハＷの厚さのデータが含まれている。なお、本実施形態では、状態情報１６３ａを記憶部１６３に予め格納してあるものとしたが、状態情報１６３ａが他の装置に記憶されている場合、取得部１６１ａは、ネットワークを介して状態情報１６３ａを取得してもよい。
【０１２２】
また、取得部１６１ａは、測定制御ユニット１１４を制御して、各測定部１１０によりフォーカスリング５の周方向に複数の位置で、フォーカスリング５の上面の高さをそれぞれ測定し、フォーカスリング５の上面の高さのデータを取得する。フォーカスリング５の高さの測定は、処理容器１内の温度がプラズマ処理を行う温度に安定したタイミングであることが好ましい。また、フォーカスリング５の高さの測定は、１枚のウェハＷに対するエッチング処理中に周期的に複数回行ってもよく、１枚のウェハＷごとに１回行ってもよい。
【０１２３】
プラズマ制御部１６１ｂは、取得部１６１ａにより取得された状態情報１６３ａにより示されるウェハＷの状態、及び測定部１１０により測定されたフォーカスリング５の上面の高さに基づき、ウェハＷ上の上部に形成されるプラズマシースの界面の高さとフォーカスリング５の上部に形成されるプラズマシースの界面の高さとの差Δｗａｆｅｒ−ＦＲが所定範囲内となるように昇降機構１２０を制御する。
【０１２４】
例えば、プラズマ処理装置１０は、プラズマ処理の際のフォーカスリング５の上面の標準的な高さが定まっているものとする。この場合、プラズマ制御部１６１ｂは、測定部１１０により測定されたフォーカスリング５の上面の高さに基づき、フォーカスリング５の上面が標準的な高さとなるように昇降機構１２０を制御する。さらに、プラズマ制御部１６１ｂは、取得部１６１ａにより取得された状態情報１６３ａから、第１の載置台２に載置された処理対象のウェハＷの厚さを求める。プラズマ制御部１６１ｂは、処理対象のウェハＷの厚さに対応するフォーカスリング５の高さの補正値を補正情報１６３ｂから読み出す。そして、プラズマ制御部１６１ｂは、プラズマ処理の際に、読み出した補正値の高さとなるように、昇降機構１２０を制御する。例えば、補正値がプラズマ処理の際のフォーカスリング５の標準的な高さに対する差分値であるものとする。プラズマ制御部１６１ｂは、フォーカスリング５の高さを標準的な高さから補正値だけ補正した高さにとなるように、昇降機構１２０を制御する。
【０１２５】
また、例えば、ウェハＷの上面の高さとフォーカスリング５の上面の高さの位置関係が予め定められた距離間隔の場合、ウェハＷ上の上部に形成されるプラズマシースの界面の高さとフォーカスリング５の上部に形成されるプラズマシースの界面の高さとの差Δｗａｆｅｒ−ＦＲが所定範囲内となるものとする。この場合、プラズマ制御部１６１ｂは、取得部１６１ａにより取得された状態情報１６３ａにより示されるウェハＷの状態、及び測定部１１０により測定されたフォーカスリング５の上面の高さに基づき、位置関係が予め定められた距離間隔になるフォーカスリング５の高さを算出する。例えば、プラズマ制御部１６１ｂは、ウェハＷの周方向の各位置でのウェハＷの厚さのデータから、周方向の各位置について、ウェハＷの上面と、フォーカスリング５の上面との位置関係が予め定められた距離間隔になるフォーカスリング５の高さを算出する。プラズマ制御部１６１ｂは、各昇降機構１２０を制御して、プラズマ制御部１６１ｂにより算出された高さに第２の載置台７を昇降させて、フォーカスリング５を昇降させる。
【０１２６】
これにより、プラズマ処理装置１０では、ウェハＷの上面とフォーカスリング５の上面の高さが同じとなり、ウェハＷごとのエッチング特性にばらつきを抑制できる。
【０１２７】
以上のように、第５実施形態に係るプラズマ処理装置１０は、昇降機構１２０が、フォーカスリング５の周方向に複数の位置に設けられている。プラズマ制御部１６１ｂは、状態情報１６３ａは、ウェハＷの周方向に対して複数の位置での状態の測定結果を含む。プラズマ制御部１６１ｂは、状態情報１６３ａにより示される複数の位置での状態の測定結果に基づき、フォーカスリング５の周方向の複数の位置それぞれについて、ウェハＷの上部に形成されるプラズマシースの界面の高さとフォーカスリング５の上部に形成されるプラズマシースの界面の高さとの差が所定範囲内となるように昇降機構１２０をそれぞれ制御する。これにより、プラズマ処理装置１０は、ウェハＷの周方向のエッチング特性にばらつきを抑制できる。
【０１２８】
また、第５実施形態に係るプラズマ処理装置１０は、フォーカスリング５の上面の高さを測定する測定部１１０を有する。プラズマ制御部１６１ｂは、ウェハＷの状態及び測定部１１０により測定されたフォーカスリング５の上面の高さに基づき、ウェハＷの上部に形成されるプラズマシースの界面の高さとフォーカスリング５の上部に形成されるプラズマシースの界面の高さとの差が所定範囲内となるようにプラズマ処理を制御する。これにより、プラズマ処理装置１０は、プラズマによる消耗などによってフォーカスリング５の上面の高さが変化する場合でも、ウェハＷごとのエッチング特性にばらつきを抑制できる。
【０１２９】
（第６実施形態）
次に、第６実施形態について説明する。第６実施形態に係るプラズマ処理装置１０は、第１実施形態に係るプラズマ処理装置１０の構成と同様であるため、説明を省略する。
【０１３０】
ここで、ウェハＷは、図３に示したように、直径などの外径に関するサイズが規格で定められているものの、外径についても一定の誤差が許容されている。プラズマ処理装置１０では、ウェハＷの外径のバラつきによっても、フォーカスリング５上のプラズマシースとウェハＷ上のプラズマシースとの高さ位置にズレが生じ、エッチング特性が変化する。特に、ウェハＷの周辺部は、ウェハＷの外径のバラつきにより、エッチングレートのバラつきやTiltingといった形状異常などのエッチングプロセス結果に影響を受けやすい。
【０１３１】
第６実施形態に係る状態情報１６３ａには、ウェハＷの厚さの値と、ウェハＷの外径の値が記憶されている。
【０１３２】
また、第６実施形態に係る補正情報１６３ｂは、ウェハＷの状態ごとに、電磁石６０ａ〜６０ｃへ供給する電力の補正値を記憶する。例えば、ウェハＷの厚さ及びウェハＷの外径ごとに、ウェハＷ上の上部に形成されるプラズマシースの界面の高さとフォーカスリング５の上部に形成されるプラズマシースの界面の高さとの差Δｗａｆｅｒ−ＦＲが所定範囲内となるような磁場強度が得られる電磁石６０ａ〜６０ｃの電力量を実験的に計測する。補正情報１６３ｂには、計測結果に基づき、ウェハＷの厚さ及びウェハＷの外径ごとに、差Δｗａｆｅｒ−ＦＲが所定範囲内となる電磁石６０ａ〜６０ｃの供給電力の補正値を記憶させる。補正値は、差Δｗａｆｅｒ−ＦＲが所定範囲内となる電力量の値そのものとであってもよく、プラズマ処理の際に電磁石６０ａ〜６０ｃへ供給する標準の電力量に対する差分値であってもよい。本実施形態では、補正値は、電磁石６０ａ〜６０ｃへ供給する電力量の値そのものとする。
【０１３３】
プラズマ制御部１６１ｂは、取得部１６１ａにより取得された状態情報１６３ａにより示されるウェハＷの状態に基づき、ウェハＷ上の上部に形成されるプラズマシースの界面の高さとフォーカスリング５の上部に形成されるプラズマシースの界面の高さとの差Δｗａｆｅｒ−ＦＲが所定範囲内となるように電磁石６０ａ〜６０ｃの磁力を制御する。例えば、プラズマ制御部１６１ｂは、取得部１６１ａにより取得された状態情報１６３ａから、第１の載置台２に載置された処理対象のウェハＷの厚さ及びウェハＷの外径さを求める。プラズマ制御部１６１ｂは、処理対象のウェハＷの厚さ及びウェハＷの外径に対応する電磁石６０ａ〜６０ｃの供給電力の補正値を補正情報１６３ｂから読み出す。そして、プラズマ制御部１６１ｂは、プラズマ処理の際に、読み出した補正値の電力が電磁石６０ａ〜６０ｃへ供給されるように、電磁石６０ａ〜６０ｃに接続された電源を制御する。
【０１３４】
これにより、プラズマ処理装置１０では、ウェハＷ上の上部に形成されるプラズマシースの界面の高さとフォーカスリング５の上部に形成されるプラズマシースの界面の高さとの差Δｗａｆｅｒ−ＦＲが所定範囲内となり、ウェハＷごとのエッチング特性にばらつきを抑制できる。
【０１３５】
以上のように、第６実施形態に係るプラズマ処理装置１０は、ウェハＷの状態を、ウェハＷの厚さ、ウェハＷの外径の両方としている。これにより、プラズマ処理装置１０は、ウェハＷごとに、厚さ、及び外径に誤差がある場合でも、ウェハＷごとのエッチング特性にばらつきを抑制できる。
【０１３６】
以上、種々の実施形態について説明してきたが、上述した実施形態に限定されることなく種々の変形態様を構成可能である。例えば、上述したプラズマ処理装置１０は、容量結合型のプラズマ処理装置１０であったが、任意のプラズマ処理装置１０に採用され得る。例えば、プラズマ処理装置１０は、誘導結合型のプラズマ処理装置１０、マイクロ波といった表面波によってガスを励起させるプラズマ処理装置１０のように、任意のタイプのプラズマ処理装置１０であってもよい。
【０１３７】
また、上述した実施形態では、電磁石６０の磁力の変更、電極９ｅに供給する電力の変更、中央部１６ｉ、周辺部１６ｊに供給する電力の変更、フォーカスリング５の昇降の何れかを行うことで、プラズマの状態を変化させる場合を例に説明したが、これに限定されない。インピーダンスの変更を行うことで、プラズマの状態を変化させてもよい。例えば、第２の載置台７のインピーダンスを変更可能する。プラズマ制御部１６１ｂは、ウェハＷの状態に基づき、ウェハＷ上の上部に形成されるプラズマシースの界面の高さとフォーカスリング５の上部に形成されるプラズマシースの界面の高さとの差Δｗａｆｅｒ−ＦＲが所定範囲内となるように第２の載置台７のインピーダンスを制御してもよい。例えば、第２の載置台７の内部に垂直方向にリング状の空間を形成し、空間内にリング状の導電体を導電体駆動機構によって昇降自在に設ける。導電体は、例えばアルミニウムなどの導電性材料で構成する。これにより、第２の載置台７は、導電体駆動機構により、導電体を昇降させることでインピーダンスの変更が可能となる。なお、第２の載置台７は、インピーダンスが変更可能であれば何れの構成であってもよい。補正情報１６３ｂには、ウェハＷの状態ごとに、インピーダンスの補正値を記憶する。例えば、ウェハＷの厚さごとに、ウェハＷ上の上部に形成されるプラズマシースの界面の高さとフォーカスリング５の上部に形成されるプラズマシースの界面の高さとの差Δｗａｆｅｒ−ＦＲが所定範囲内となる、導電体の高さを実験的に計測する。補正情報１６３ｂには、計測結果に基づき、ウェハＷの厚さごとに、差Δｗａｆｅｒ−ＦＲが所定範囲内となる導電体の高さの補正値を記憶させる。プラズマ制御部１６１ｂは、取得部１６１ａにより取得された状態情報１６３ａから、第１の載置台２に載置された処理対象のウェハＷの厚さを求める。プラズマ制御部１６１ｂは、処理対象のウェハＷの厚さに対応する導電体の高さの補正値を補正情報１６３ｂから読み出す。そして、プラズマ制御部１６１ｂは、プラズマ処理の際に、読み出した補正値の高さとなるように、導電体駆動機構を制御する。これにより、プラズマ処理装置１０では、ウェハＷ上の上部に形成されるプラズマシースの界面の高さとフォーカスリング５の上部に形成されるプラズマシースの界面の高さとの差Δｗａｆｅｒ−ＦＲが所定範囲内となり、ウェハＷごとのエッチング特性にばらつきを抑制できる。
【０１３８】
また、上述した実施形態では、ウェハＷの状態として、ウェハＷの厚さ、及び外径を例に説明したが、これに限定されるものではない。例えば、ウェハＷの状態は、ウェハＷの端部（ウェハベベル部）の形状や、ウェハＷのウェハ裏面に成膜もしくは残存している膜の膜種、膜厚、ウェハＷの偏心、ウェハＷの反りなどであってもよい。例えば、補正情報１６３ｂには、ウェハＷの状態毎に、プラズマ処理の条件の補正に用いる各種の情報を記憶する。例えば、補正情報１６３ｂには、ウェハＷの端部の形状別に、ウェハＷ上の上部に形成されるプラズマシースの界面の高さとフォーカスリング５の上部に形成されるプラズマシースの界面の高さとの差Δｗａｆｅｒ−ＦＲが所定範囲内となる、電磁石６０ａ〜６０ｃへの供給電力の補正値を記憶する。プラズマ制御部１６１ｂは、処理対象のウェハＷの端部の形状に対応する電磁石６０ａ〜６０ｃの供給電力の補正値を補正情報１６３ｂから読み出す。そして、プラズマ制御部１６１ｂは、プラズマ処理の際に、読み出した補正値の電力が電磁石６０ａ〜６０ｃへ供給されるように、電磁石６０ａ〜６０ｃに接続された電源を制御してもよい。
【０１３９】
また、上述した第３実施形態では、電源１３から電極９ｅに直流電圧を印加する場合を例に説明したが、これに限定されない。例えば、電源１３を交流電源としてもよい。プラズマ制御部１６１ｂは、ウェハＷの状態に基づき、ウェハＷ上の上部に形成されるプラズマシースの界面の高さとフォーカスリング５の上部に形成されるプラズマシースの界面の高さとの差Δｗａｆｅｒ−ＦＲが所定範囲内となるように電源１３から電極９ｅに供給する交流電力の周波数、電圧、パワーの何れかを制御してもよい。
【０１４０】
また、上述した各実施形態は、組み合わせて実施してもよい。例えば、第１実施形態と第２実施形態を組み合わせ、電磁石６０ａ〜６０ｃの磁力と電極９ｅに印加する直流電圧の制御により、ウェハＷ上の上部に形成されるプラズマシースの界面の高さとフォーカスリング５の上部に形成されるプラズマシースの界面の高さとの差Δｗａｆｅｒ−ＦＲが所定範囲内となるように制御してもよい。また、例えば、第１実施形態から第３実施形態のプラズマ処理装置１０に、第５実施形態の昇降機構１２０を設けて、フォーカスリング５の上面を標準的な高さに補正した後、ウェハＷの状態に基づき、ウェハＷ上の上部に形成されるプラズマシースの界面の高さとフォーカスリング５の上部に形成されるプラズマシースの界面の高さとの差Δｗａｆｅｒ−ＦＲが所定範囲内となるようにプラズマ処理を制御してもよい。
【０１４１】
また、上述した第５実施形態、及び第６実施形態では、昇降機構１２０により第２の載置台７を昇降させることで、フォーカスリング５を昇降させる場合を例に説明したが、これに限定されるものではない。例えば、第２の載置台７にピンなどを貫通させてフォーカスリング５のみを昇降させてもよい。
【０１４２】
また、上述した第６実施形態では、ウェハＷの厚さ、及び外径に応じてフォーカスリング５を昇降させる場合を例に説明したが、これに限定されるものではない。例えば、ウェハＷの外径に応じてフォーカスリング５を昇降させてもよい。
【０１４３】
また、プラズマ処理装置１０は、１枚のウェハＷに対する複数種類のプラズマエッチング処理が行われる場合、プラズマ処理ごとに、当該プラズマ処理でエッチング特性にばらつきが小さくなるように第２の載置台７を昇降させて、ウェハＷに対するフォーカスリング５の位置を変えてもよい。
【符号の説明】
【０１４４】
１  処理容器
２  第１の載置台
５  フォーカスリング
７  第２の載置台
１０  プラズマ処理装置
１００  制御部
１１０  測定部
１２０  昇降機構
１６１ａ  取得部
１６１ｂ  プラズマ制御部
１６３ａ  状態情報
１６３ｂ  補正情報
Ｗ  ウェハ
【図１】
2019186400.tif 000004
【図２】
2019186400.tif 000005
【図３】
2019186400.tif 000006
【図４】
2019186400.tif 000007
【図５】
2019186400.tif 000008
【図６】
2019186400.tif 000009
【図７Ａ】
2019186400.tif 000010
【図７Ｂ】
2019186400.tif 000011
【図８Ａ】
2019186400.tif 000012
【図８Ｂ】
2019186400.tif 000013
【図９】
2019186400.tif 000014
【図１０】
2019186400.tif 000015
【図１１】
2019186400.tif 000016
【図１２】
2019186400.tif 000017
【図１３】
2019186400.tif 000018
【図１４】
2019186400.tif 000019
【図１５】
2019186400.tif 000020
【図１６】
2019186400.tif 000021
【図１７】
2019186400.tif 000022
【図１８Ａ】
2019186400.tif 000023
【図１８Ｂ】
2019186400.tif 000024
【手続補正書】
【提出日】平成30年12月14日(2018.12.14)
【手続補正１】
【補正対象書類名】明細書
【補正対象項目名】００４１
【補正方法】変更
【補正の内容】
【００４１】
ウェハＷ上のプラズマシースの界面とフォーカスリング５上のプラズマシースの界面との差ΔＤｗａｆｅｒ−ＦＲは、以下の式（１）のように表せる。
【手続補正２】
【補正対象書類名】明細書
【補正対象項目名】００４２
【補正方法】変更
【補正の内容】
【００４２】
ΔＤｗａｆｅｒ−ＦＲ＝（Ｄａ＋Ｄｗａｆｅｒ＋ｄｗａｆｅｒ）−（ＤＦＲ＋ｄＦＲ）                                                                         （１）
【手続補正３】
【補正対象書類名】明細書
【補正対象項目名】００４３
【補正方法】変更
【補正の内容】
【００４３】
例えば、ウェハＷの厚さＤｗａｆｅｒが、誤差によって変化した場合、差ΔＤｗａｆｅｒ−ＦＲが変化する。このため、プラズマ処理装置１０では、エッチング特性が変化する。
【手続補正４】
【補正対象書類名】明細書
【補正対象項目名】００５８
【補正方法】変更
【補正の内容】
【００５８】
図２に戻る。第１実施形態に係る補正情報１６３ｂは、ウェハＷの状態ごとに、電磁石６０ａ〜６０ｃへ供給する電力の補正値を記憶する。例えば、ウェハＷの厚さごとに、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となるような磁場強度が得られる電磁石６０ａ〜６０ｃの電力量を実験的に計測する。例えば、電磁石６０に電源から交流電力を供給する場合、交流の電圧、周波数、電力パワーの何れか変化させ、変化させた交流の電圧、周波数、電力パワーの何れかを電力量として計測する。また、電磁石６０に電源から直流電力を供給する場合、直流の電圧、電流量の何れか変化させ、変化させた直流の電圧、電流量の何れかを電力量として計測する。所定範囲は、例えば、ウェハＷにエッチングした際のホールの角度θ（Tilting角θ）が、許容される精度内となるΔＤｗａｆｅｒ−ＦＲの範囲である。補正情報１６３ｂには、計測結果に基づき、ウェハＷの厚さごとに、差ΔＤｗａｆｅｒ−ＦＲが所定範囲内となる電磁石６０ａ〜６０ｃの供給電力の補正値を記憶させる。補正値は、差ΔＤｗａｆｅｒ−ＦＲが所定範囲内となる電力量の値そのものとであってもよく、プラズマ処理の際に電磁石６０ａ〜６０ｃへ供給する標準の電力量に対する差分値であってもよい。本実施形態では、補正値は、電磁石６０ａ〜６０ｃへ供給する電力量の値そのものとする。
【手続補正５】
【補正対象書類名】明細書
【補正対象項目名】００６１
【補正方法】変更
【補正の内容】
【００６１】
プラズマ制御部１６１ｂは、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となるようにプラズマ処理を制御する。
【手続補正６】
【補正対象書類名】明細書
【補正対象項目名】００６２
【補正方法】変更
【補正の内容】
【００６２】
プラズマ制御部１６１ｂは、取得部１６１ａにより取得された状態情報１６３ａにより示されるウェハＷの状態に基づき、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となるように電磁石６０ａ〜６０ｃの磁力を制御する。例えば、プラズマ制御部１６１ｂは、取得部１６１ａにより取得された状態情報１６３ａから、第１の載置台２に載置された処理対象のウェハＷの厚さを求める。プラズマ制御部１６１ｂは、処理対象のウェハＷの厚さに対応する電磁石６０ａ〜６０ｃの供給電力の補正値を補正情報１６３ｂから読み出す。そして、プラズマ制御部１６１ｂは、プラズマ処理の際に、読み出した補正値の電力が電磁石６０ａ〜６０ｃへ供給されるように、電磁石６０ａ〜６０ｃに接続された電源を制御する。本実施形態では、プラズマ制御部１６１ｂは、電磁石６０ｃへ補正値の電力が供給されるように、電磁石６０ｃに接続された電源を制御する。
【手続補正７】
【補正対象書類名】明細書
【補正対象項目名】００６３
【補正方法】変更
【補正の内容】
【００６３】
これにより、プラズマ処理装置１０では、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となり、ウェハＷごとのエッチング特性にばらつきを抑制できる。
【手続補正８】
【補正対象書類名】明細書
【補正対象項目名】００６６
【補正方法】変更
【補正の内容】
【００６６】
プラズマ制御部１６１ｂは、取得された状態情報１６３ａにより示されるウェハＷの状態に基づき、ウェハＷの上部に形成されるプラズマシースの界面の高さとフォーカスリング５の上部に形成されるプラズマシースの界面の高さとの差が所定範囲内となるようにプラズマ処理を制御する（ステップＳ１１）。例えば、プラズマ制御部１６１ｂは、ウェハＷの状態に基づき、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となるように電磁石６０ａ〜６０ｃの磁力を制御し、処理を終了する。
【手続補正９】
【補正対象書類名】明細書
【補正対象項目名】００７３
【補正方法】変更
【補正の内容】
【００７３】
第２実施形態に係る補正情報１６３ｂは、ウェハＷの状態ごとに、電極９ｅに印加する直流電圧の補正値を記憶する。例えば、ウェハＷの厚さごとに、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となる、電極９ｅに印加する直流電圧を実験的に計測する。補正情報１６３ｂには、計測結果に基づき、ウェハＷの厚さごとに、差ΔＤｗａｆｅｒ−ＦＲが所定範囲内となる、電極９ｅに印加する直流電圧の補正値を記憶させる。補正値は、差ΔＤｗａｆｅｒ−ＦＲが所定範囲内となる直流電圧の値そのものとであってもよく、プラズマ処理の際に電極９ｅに印加する標準的な直流電圧に対する差分値であってもよい。本実施形態では、補正値は、電極９ｅに印加する直流電圧の値そのものとする。
【手続補正１０】
【補正対象書類名】明細書
【補正対象項目名】００７４
【補正方法】変更
【補正の内容】
【００７４】
プラズマ制御部１６１ｂは、取得部１６１ａにより取得された状態情報１６３ａにより示されるウェハＷの状態に基づき、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となるように電極９ｅに印加する直流電圧を制御する。例えば、プラズマ制御部１６１ｂは、取得部１６１ａにより取得された状態情報１６３ａから、第１の載置台２に載置された処理対象のウェハＷの厚さを求める。プラズマ制御部１６１ｂは、処理対象のウェハＷの厚さに対応する電極９ｅに印加する直流電圧の補正値を補正情報１６３ｂから読み出す。そして、プラズマ制御部１６１ｂは、プラズマ処理の際に、読み出した補正値の直流電圧が電極９ｅへ供給されるように、電源１３を制御する。
【手続補正１１】
【補正対象書類名】明細書
【補正対象項目名】００７５
【補正方法】変更
【補正の内容】
【００７５】
これにより、プラズマ処理装置１０では、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となり、ウェハＷごとのエッチング特性にばらつきを抑制できる。
【手続補正１２】
【補正対象書類名】明細書
【補正対象項目名】００８２
【補正方法】変更
【補正の内容】
【００８２】
第３実施形態に係る補正情報１６３ｂは、ウェハＷの状態ごとに、中央部１６ｉ、周辺部１６ｊに印加する直流電圧の補正値を記憶する。例えば、ウェハＷの厚さごとに、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となる、中央部１６ｉ、周辺部１６ｊそれぞれに印加する直流電圧を実験的に計測する。補正情報１６３ｂには、計測結果に基づき、ウェハＷの厚さごとに、差ΔＤｗａｆｅｒ−ＦＲが所定範囲内となる、中央部１６ｉ、周辺部１６ｊそれぞれに印加する直流電圧の補正値を記憶させる。補正値は、中央部１６ｉ、周辺部１６ｊに印加する直流電圧の値そのものとであってもよく、プラズマ処理の際に中央部１６ｉ、周辺部１６ｊにそれぞれ印加する標準的な直流電圧に対する差分値であってもよい。本実施形態では、補正値は、中央部１６ｉ、周辺部１６ｊそれぞれに印加する直流電圧の値そのものとする。
【手続補正１３】
【補正対象書類名】明細書
【補正対象項目名】００８４
【補正方法】変更
【補正の内容】
【００８４】
プラズマ制御部１６１ｂは、取得部１６１ａにより取得された状態情報１６３ａにより示されるウェハＷの状態に基づき、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となるように周辺部１６ｊに印加する直流電圧を制御する。例えば、プラズマ制御部１６１ｂは、取得部１６１ａにより取得された状態情報１６３ａから、第１の載置台２に載置された処理対象のウェハＷの厚さを求める。プラズマ制御部１６１ｂは、処理対象のウェハＷの厚さに対応する周辺部１６ｊに印加する直流電圧の補正値を補正情報１６３ｂから読み出す。そして、プラズマ制御部１６１ｂは、プラズマ処理の際に、読み出した補正値の直流電圧が周辺部１６ｊに供給されるように、可変直流電源７２ａを制御する。
【手続補正１４】
【補正対象書類名】明細書
【補正対象項目名】００８５
【補正方法】変更
【補正の内容】
【００８５】
これにより、プラズマ処理装置１０では、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となり、ウェハＷごとのエッチング特性にばらつきを抑制できる。
【手続補正１５】
【補正対象書類名】明細書
【補正対象項目名】０１０２
【補正方法】変更
【補正の内容】
【０１０２】
第４実施形態に係る補正情報１６３ｂは、ウェハＷの状態ごとに、フォーカスリング５を昇降させる補正値を記憶する。例えば、ウェハＷの厚さごとに、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となる、フォーカスリング５の高さを実験的に計測する。補正情報１６３ｂには、計測結果に基づき、ウェハＷの厚さごとに、差ΔＤｗａｆｅｒ−ＦＲが所定範囲内となるフォーカスリング５の高さの補正値を記憶させる。補正値は、差ΔＤｗａｆｅｒ−ＦＲが所定範囲内となるフォーカスリング５の高さの値そのものとであってもよく、プラズマ処理の際のフォーカスリング５の標準的な高さに対する差分値であってもよい。本実施形態では、補正値は、フォーカスリング５の高さの値そのものとする。
【手続補正１６】
【補正対象書類名】明細書
【補正対象項目名】０１０３
【補正方法】変更
【補正の内容】
【０１０３】
プラズマ制御部１６１ｂは、取得部１６１ａにより取得された状態情報１６３ａにより示されるウェハＷの状態に基づき、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となるように昇降機構１２０を制御する。例えば、プラズマ制御部１６１ｂは、取得部１６１ａにより取得された状態情報１６３ａから、第１の載置台２に載置された処理対象のウェハＷの厚さを求める。プラズマ制御部１６１ｂは、処理対象のウェハＷの厚さに対応するフォーカスリング５の高さの補正値を補正情報１６３ｂから読み出す。そして、プラズマ制御部１６１ｂは、プラズマ処理の際に、読み出した補正値の高さとなるように、昇降機構１２０を制御する。
【手続補正１７】
【補正対象書類名】明細書
【補正対象項目名】０１０４
【補正方法】変更
【補正の内容】
【０１０４】
これにより、プラズマ処理装置１０では、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となり、ウェハＷごとのエッチング特性にばらつきを抑制できる。
【手続補正１８】
【補正対象書類名】明細書
【補正対象項目名】０１２３
【補正方法】変更
【補正の内容】
【０１２３】
プラズマ制御部１６１ｂは、取得部１６１ａにより取得された状態情報１６３ａにより示されるウェハＷの状態、及び測定部１１０により測定されたフォーカスリング５の上面の高さに基づき、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となるように昇降機構１２０を制御する。
【手続補正１９】
【補正対象書類名】明細書
【補正対象項目名】０１２５
【補正方法】変更
【補正の内容】
【０１２５】
また、例えば、ウェハＷの上面の高さとフォーカスリング５の上面の高さの位置関係が予め定められた距離間隔の場合、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となるものとする。この場合、プラズマ制御部１６１ｂは、取得部１６１ａにより取得された状態情報１６３ａにより示されるウェハＷの状態、及び測定部１１０により測定されたフォーカスリング５の上面の高さに基づき、位置関係が予め定められた距離間隔になるフォーカスリング５の高さを算出する。例えば、プラズマ制御部１６１ｂは、ウェハＷの周方向の各位置でのウェハＷの厚さのデータから、周方向の各位置について、ウェハＷの上面と、フォーカスリング５の上面との位置関係が予め定められた距離間隔になるフォーカスリング５の高さを算出する。プラズマ制御部１６１ｂは、各昇降機構１２０を制御して、プラズマ制御部１６１ｂにより算出された高さに第２の載置台７を昇降させて、フォーカスリング５を昇降させる。
【手続補正２０】
【補正対象書類名】明細書
【補正対象項目名】０１３２
【補正方法】変更
【補正の内容】
【０１３２】
また、第６実施形態に係る補正情報１６３ｂは、ウェハＷの状態ごとに、電磁石６０ａ〜６０ｃへ供給する電力の補正値を記憶する。例えば、ウェハＷの厚さ及びウェハＷの外径ごとに、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となるような磁場強度が得られる電磁石６０ａ〜６０ｃの電力量を実験的に計測する。補正情報１６３ｂには、計測結果に基づき、ウェハＷの厚さ及びウェハＷの外径ごとに、差ΔＤｗａｆｅｒ−ＦＲが所定範囲内となる電磁石６０ａ〜６０ｃの供給電力の補正値を記憶させる。補正値は、差ΔＤｗａｆｅｒ−ＦＲが所定範囲内となる電力量の値そのものとであってもよく、プラズマ処理の際に電磁石６０ａ〜６０ｃへ供給する標準の電力量に対する差分値であってもよい。本実施形態では、補正値は、電磁石６０ａ〜６０ｃへ供給する電力量の値そのものとする。
【手続補正２１】
【補正対象書類名】明細書
【補正対象項目名】０１３３
【補正方法】変更
【補正の内容】
【０１３３】
プラズマ制御部１６１ｂは、取得部１６１ａにより取得された状態情報１６３ａにより示されるウェハＷの状態に基づき、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となるように電磁石６０ａ〜６０ｃの磁力を制御する。例えば、プラズマ制御部１６１ｂは、取得部１６１ａにより取得された状態情報１６３ａから、第１の載置台２に載置された処理対象のウェハＷの厚さ及びウェハＷの外径さを求める。プラズマ制御部１６１ｂは、処理対象のウェハＷの厚さ及びウェハＷの外径に対応する電磁石６０ａ〜６０ｃの供給電力の補正値を補正情報１６３ｂから読み出す。そして、プラズマ制御部１６１ｂは、プラズマ処理の際に、読み出した補正値の電力が電磁石６０ａ〜６０ｃへ供給されるように、電磁石６０ａ〜６０ｃに接続された電源を制御する。
【手続補正２２】
【補正対象書類名】明細書
【補正対象項目名】０１３４
【補正方法】変更
【補正の内容】
【０１３４】
これにより、プラズマ処理装置１０では、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となり、ウェハＷごとのエッチング特性にばらつきを抑制できる。
【手続補正２３】
【補正対象書類名】明細書
【補正対象項目名】０１３７
【補正方法】変更
【補正の内容】
【０１３７】
また、上述した実施形態では、電磁石６０の磁力の変更、電極９ｅに供給する電力の変更、中央部１６ｉ、周辺部１６ｊに供給する電力の変更、フォーカスリング５の昇降の何れかを行うことで、プラズマの状態を変化させる場合を例に説明したが、これに限定されない。インピーダンスの変更を行うことで、プラズマの状態を変化させてもよい。例えば、第２の載置台７のインピーダンスを変更可能する。プラズマ制御部１６１ｂは、ウェハＷの状態に基づき、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となるように第２の載置台７のインピーダンスを制御してもよい。例えば、第２の載置台７の内部に垂直方向にリング状の空間を形成し、空間内にリング状の導電体を導電体駆動機構によって昇降自在に設ける。導電体は、例えばアルミニウムなどの導電性材料で構成する。これにより、第２の載置台７は、導電体駆動機構により、導電体を昇降させることでインピーダンスの変更が可能となる。なお、第２の載置台７は、インピーダンスが変更可能であれば何れの構成であってもよい。補正情報１６３ｂには、ウェハＷの状態ごとに、インピーダンスの補正値を記憶する。例えば、ウェハＷの厚さごとに、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となる、導電体の高さを実験的に計測する。補正情報１６３ｂには、計測結果に基づき、ウェハＷの厚さごとに、差ΔＤｗａｆｅｒ−ＦＲが所定範囲内となる導電体の高さの補正値を記憶させる。プラズマ制御部１６１ｂは、取得部１６１ａにより取得された状態情報１６３ａから、第１の載置台２に載置された処理対象のウェハＷの厚さを求める。プラズマ制御部１６１ｂは、処理対象のウェハＷの厚さに対応する導電体の高さの補正値を補正情報１６３ｂから読み出す。そして、プラズマ制御部１６１ｂは、プラズマ処理の際に、読み出した補正値の高さとなるように、導電体駆動機構を制御する。これにより、プラズマ処理装置１０では、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となり、ウェハＷごとのエッチング特性にばらつきを抑制できる。
【手続補正２４】
【補正対象書類名】明細書
【補正対象項目名】０１３８
【補正方法】変更
【補正の内容】
【０１３８】
また、上述した実施形態では、ウェハＷの状態として、ウェハＷの厚さ、及び外径を例に説明したが、これに限定されるものではない。例えば、ウェハＷの状態は、ウェハＷの端部（ウェハベベル部）の形状や、ウェハＷのウェハ裏面に成膜もしくは残存している膜の膜種、膜厚、ウェハＷの偏心、ウェハＷの反りなどであってもよい。例えば、補正情報１６３ｂには、ウェハＷの状態毎に、プラズマ処理の条件の補正に用いる各種の情報を記憶する。例えば、補正情報１６３ｂには、ウェハＷの端部の形状別に、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となる、電磁石６０ａ〜６０ｃへの供給電力の補正値を記憶する。プラズマ制御部１６１ｂは、処理対象のウェハＷの端部の形状に対応する電磁石６０ａ〜６０ｃの供給電力の補正値を補正情報１６３ｂから読み出す。そして、プラズマ制御部１６１ｂは、プラズマ処理の際に、読み出した補正値の電力が電磁石６０ａ〜６０ｃへ供給されるように、電磁石６０ａ〜６０ｃに接続された電源を制御してもよい。
【手続補正２５】
【補正対象書類名】明細書
【補正対象項目名】０１３９
【補正方法】変更
【補正の内容】
【０１３９】
また、上述した第３実施形態では、電源１３から電極９ｅに直流電圧を印加する場合を例に説明したが、これに限定されない。例えば、電源１３を交流電源としてもよい。プラズマ制御部１６１ｂは、ウェハＷの状態に基づき、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となるように電源１３から電極９ｅに供給する交流電力の周波数、電圧、パワーの何れかを制御してもよい。
【手続補正２６】
【補正対象書類名】明細書
【補正対象項目名】０１４０
【補正方法】変更
【補正の内容】
【０１４０】
また、上述した各実施形態は、組み合わせて実施してもよい。例えば、第１実施形態と第２実施形態を組み合わせ、電磁石６０ａ〜６０ｃの磁力と電極９ｅに印加する直流電圧の制御により、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となるように制御してもよい。また、例えば、第１実施形態から第３実施形態のプラズマ処理装置１０に、第５実施形態の昇降機構１２０を設けて、フォーカスリング５の上面を標準的な高さに補正した後、ウェハＷの状態に基づき、ウェハＷ上の上部に形成されるプラズマシースの界面の高さとフォーカスリング５の上部に形成されるプラズマシースの界面の高さとの差ΔＤｗａｆｅｒ−ＦＲが所定範囲内となるようにプラズマ処理を制御してもよい。